(57)【要約】      （修正有）【課題】消費電流が小さい過電圧保護装置のスイッチの条件を低コストで自動的に取得すること。【解決手段】消費電流の小さい過電圧保護装置のスイッチの条件を検出するための条件検出装置において、マイクロプロセッサ２９１は、複数の信号の組み合わせを出力する。それぞれの出力は、各機械式リレー２１１〜２１６を制御する。各機械式リレーは、評価対象の過電圧保護回路の特定のノード５０１と５０２〜５１１と５１２間を短絡するあるいはしないことにより、電流の流れる経路を制御する。マイクロプロセッサは、評価対象の過電圧保護回路からそれぞれの場合の評価対象の装置または回路からの判定結果を端子台２４１経由で受け取り、その結果が、H（ハイ）、L（ロー）となる境界の複数の信号の組み合わせの出力をスイッチの条件の最終結果として最終出力して発光ダイオード２６１等で表示する。【選択図】図９
2018137891.tif 000002
【特許請求の範囲】
【請求項１】
第一のノード、第二のノード、第三のノード、第四のノード、第五のノード、第六のノードがあり、第九のノード、第十のノード、第十一のノード、第十二のノードがあり、
第一の機械式リレー、第二の機械式リレー、第三の機械式リレー、第五の機械式リレー、第六の機械式リレー、マイクロプロセッサを持ち、
前記第一の機械式リレーは、第一の入力信号によって前記第一のノードと前記第二のノードを短絡または解放し、前記第二の機械式リレーは、第二の入力信号によって前記第三のノードと前記第四のノードを短絡または解放し、前記第三の機械式リレーは、第三の入力信号によって前記第五のノードと前記第六のノードを短絡または解放し、前記第五の機械式リレーは、第五の入力信号によって前記第九のノードと前記第十のノードを短絡または解放し、前記第六の機械式リレーは、第六の入力信号によって前記第十一のノードと前記第十二のノードを短絡または解放し、
前記マイクロプロセッサは、プログラミングメモリとランダムアクセスメモリを有し、
前記プログラミングメモリまたは前記ランダムアクセスメモリの一部には、前記第一の入力信号および前記第二の入力信号および前記第三の入力信号および前記第五の入力信号および前記第六の入力信号のオン・オフの組み合わせを第一の電圧パラメータの順番に並べた情報が記録され、
前記マイクロプロセッサは、前記第一の入力信号および前記第二の入力信号および前記第三の入力信号および前記第五の入力信号および前記第六の入力信号のオン・オフの組み合わせを出力し、
前記マイクロプロセッサは、評価対象の装置または回路から第一の判定結果を受け取り、
前記マイクロプロセッサは、第一の方法により、第一の電圧パラメータの順番に並べた場合に、前記判定結果が変化する境界の、前記第一の入力信号および前記第二の入力信号および前記第三の入力信号および前記第五の入力信号および前記第六の入力信号のオン・オフの組み合わせを出力する
ことを特徴とする条件検出装置。
【請求項２】
前記第一の方法は、前記第一のパラメータに依存する判定結果が第一の結果となる、前記第一のパラメータに依存する判定結果が変化する境界の、前記第一の入力信号および前記第二の入力信号および前記第三の入力信号および前記第五の入力信号および前記第六の入力信号のオン・オフの組み合わせのうち、前記第一の電圧パラメータが最小または最大となる、前記第一の入力信号および前記第二の入力信号および前記第三の入力信号および前記第五の入力信号および前記第六の入力信号のオン・オフの組み合わせを、出力する
ことを特徴とする第１の請求項に記載する条件検出装置。
【請求項３】
前記第一の方法は、前記第一のパラメータに依存する判定結果が第二の結果となる、前記第一のパラメータに依存する判定結果が変化する境界の、前記第一の入力信号および前記第二の入力信号および前記第三の入力信号および前記第五の入力信号および前記第六の入力信号のオン・オフの組み合わせのうち、前記第一の電圧パラメータが最小または最大となる、前記第一の入力信号および前記第二の入力信号および前記第三の入力信号および前記第五の入力信号および前記第六の入力信号のオン・オフの組み合わせの隣の、前記第一の入力信号および前記第二の入力信号および前記第三の入力信号および前記第五の入力信号および前記第六の入力信号のオン・オフの組み合わせを、出力する
ことを特徴とする第１の請求項に記載する条件検出装置。
【請求項４】
前記第一の方法は、あらかじめ前記第一のパラメータに基づき並べられた、前記第一の入力信号および前記第二の入力信号および前記第三の入力信号および前記第五の入力信号および前記第六の入力信号のオン・オフの組み合わせに基づき、
考えられる出力すべき条件の範囲の最小値と最大値を常に保持しておき、
最大値と最小値の中央の値で前記第一のパラメータに依存する判定結果を取得し、前記前記第一の電圧パラメータに依存する判定結果に応じて、前記最大値または前記最小値を中央の値に置き換えるという工程を繰り返すことにより、
徐々に最小値と最大値の範囲を狭めていき、最終的に一つの、前記第一の入力信号および前記第二の入力信号および前記第三の入力信号および前記第五の入力信号および前記第六の入力信号のオン・オフの組み合わせを特定することを含む工程により、
前記第一の電圧パラメータに依存する判定結果が変化する境界の、前記第一の入力信号および前記第二の入力信号および前記第三の入力信号および前記第五の入力信号および前記第六の入力信号のオン・オフの組み合わせを出力する
ことを特徴とする第１の請求項に記載する条件検出装置。
【請求項５】
第一のノード、第二のノード、第三のノード、第四のノード、第五のノード、第六のノード、第九のノード、第十のノード、第十一のノード、第十二のノードがあり、
第一の機械式リレー、第二の機械式リレー、第三の機械式リレー、第五の機械式リレー、第六の機械式リレー、マイクロプロセッサを持ち、
前記第一の機械式リレーは、第一の入力信号によって前記第一のノードと前記第二のノードを短絡または解放し、前記第二の機械式リレーは、第二の入力信号によって前記第三のノードと前記第四のノードを短絡または解放し、前記第三の機械式リレーは、第三の入力信号によって前記第五のノードと前記第六のノードを短絡または解放し、前記第五の機械式リレーは、第五の入力信号によって前記第九のノードと前記第十のノードを短絡または解放し、前記第六の機械式リレーは、第六の入力信号によって前記第十一のノードと前記第十二のノードを短絡または解放し、
前記マイクロプロセッサは、プログラミングメモリとランダムアクセスメモリを有し、
前記プログラミングメモリまたは前記ランダムアクセスメモリの一部には、前記第一の入力信号および前記第二の入力信号および前記第三の入力信号および前記第五の入力信号および前記第六の入力信号のオン・オフの組み合わせごとの第一の電圧パラメータが保存され、
前記マイクロプロセッサは、前記第一の入力信号および前記第二の入力信号および前記第三の入力信号および前記第五の入力信号および前記第六の入力信号のオン・オフの組み合わせを出力することができ、
前記マイクロプロセッサは、評価対象の装置または回路から第一の判定結果を受け取り、
前記マイクロプロセッサは、第二の方法により、前記第一のパラメータが最大または最小となる、前記第一の入力信号および前記第二の入力信号および前記第三の入力信号および前記第五の入力信号および前記第六の入力信号のオン・オフの組み合わせを出力する
ことを特徴とする条件検出装置。
【請求項６】
第二のノードと第三ノードは短絡し、第四のノードと第五のノードは短絡し、第十のノードと第十一のノードは短絡している
ことを特徴とする、請求項１または請求項５に記載の条件検出装置。
【請求項７】
前記第一の機械式リレーは、さらに第一の入力信号によって第一の発光ダイオードをオン・オフ制御し、前記第二の機械式リレーは、さらに第二の入力信号によって第二の発光ダイオードをオン・オフ制御し、前記第三の機械式リレーは、さらに第三の入力信号によって第三の発光ダイオードをオン・オフ制御し、前記第五の機械式リレーは、さらに第五の入力信号によって第五の発光ダイオードをオン・オフ制御し、前記第六の機械式リレーは、さらに第六の入力信号によって第六の発光ダイオードをオン・オフ制御する
ことを特徴とする請求項１または請求項５に記載の条件検出装置。
【請求項８】
第一の複数の直列接続されたダイオード群に流れる第一の電流を第一のバイポーラトランジスタで増幅コピーし第二の電流とし、第二の電流を第一の抵抗負荷と等価な回路部位に流すことにより、第一の電圧に変換し、第一の電圧を直接的あるいは間接的に用いて、第一の素子をオン・オフ・制御し、
第一の複数の直列接続されたダイオード群は、第二の一つまたは複数の直列接続されたダイオード群および、第三の一つまたは複数の直列接続されたダイオード群および、第四の一つまたは複数の直列接続されたダイオード群を持ち、第二の一つまたは複数の直列接続されたダイオード群および、第三の一つまたは複数の直列接続されたダイオード群および、第四の一つまたは複数の直列接続されたダイオード群は、直列に接続され、
第一の抵抗負荷は、第二の抵抗負荷および第三の抵抗負荷を含み、第二の抵抗負荷および第三の抵抗負荷は直列に接続されることを特徴とする制御回路の、
第二の一つまたは複数の直列接続されたダイオード群の一端で第三の一つまたは複数の直列接続されたダイオード群の一端ではない側のノードを第十三のノードとし、第二の一つまたは複数の直列接続されたダイオード群と第三の一つまたは複数の直列接続されたダイオード群の間のノードを第十四のノードとし、第三の一つまたは複数の直列接続されたダイオード群と第四の一つまたは複数の直列接続されたダイオード群の間のノードを第十五のノードとし、第四の一つまたは複数の直列接続されたダイオード群の一端で、第三の一つまたは複数の直列接続されたダイオード群の一端ではない側を第十六のノードとし、第二の抵抗負荷の一端で、第三の抵抗負荷の一端ではない側を第十八ノードとし、第二の抵抗負荷と第三の抵抗負荷の間のノードを第十九のノードとし、第三の抵抗負荷の一端で、第二の抵抗負荷の一端ではない側を第二十のノードとしたときに、
請求項１または請求項５に記載の条件検出装置を用いて、第一のノードと第十三のノードを接続し、第三のノードと第十四のノードを接続し、第五のノードと第十五のノードを接続し、第六のノードと第十六のノードを接続し、第九のノードと第十八のノードを接続し、第十一のノードと第十九のノードを接続し、第十二のノードと第二十のノードを接続し、
前記マイクロプロセッサは、第一の電圧を直接的あるいは間接的に受け取ることにより、
スイッチ群のオン・オフ条件を検出することを特徴とする条件検出方法。
【請求項９】
第一の複数の直列接続されたダイオード群に流れる第一の電流を第一のバイポーラトランジスタで増幅コピーし第二の電流とし、第二の電流を第一の抵抗負荷と等価な回路部位に流すことにより、第一の電圧に変換し、第一の電圧を直接的あるいは間接的に用いて、第一の素子をオン・オフ・制御し、
第一の複数の直列接続されたダイオード群は、第二の一つまたは複数の直列接続されたダイオード群および、第三の一つまたは複数の直列接続されたダイオード群および、第四の一つまたは複数の直列接続されたダイオード群を持ち、第二の一つまたは複数の直列接続されたダイオード群および、第三の一つまたは複数の直列接続されたダイオード群および、第四の一つまたは複数の直列接続されたダイオード群は直列に接続され、
第一の抵抗負荷は、第二の抵抗負荷および第三の抵抗負荷を含み、第二の抵抗負荷および第三の抵抗負荷は直列に接続され、
第二の一つまたは複数の直列接続されたダイオード群の一端で第三の一つまたは複数の直列接続されたダイオード群の一端ではない側のノードを第十三のノードとし、第二の一つまたは複数の直列接続されたダイオード群と第三の一つまたは複数の直列接続されたダイオード群の間のノードを第十四のノードとし、第三の一つまたは複数の直列接続されたダイオード群と第四の一つまたは複数の直列接続されたダイオード群の間のノードを第十五のノードとし、第四の一つまたは複数の直列接続されたダイオード群の一端で、第三の一つまたは複数の直列接続されたダイオード群の一端ではない側を第十六のノードとし、第二の抵抗負荷の一端で、第三の抵抗負荷の一端ではない側を第十八ノードとし、第二の抵抗負荷と第三の抵抗負荷の間のノードを第十九のノードとし、第三の抵抗負荷の一端で、第二の抵抗負荷の一端ではない側を第二十のノードとしたときに、
第十三のノードと第十四のノードの間に第一の機械的スイッチがあり、第十四のノードと第十五のノードの間に第二の機械的スイッチがあり、第十五のノードと第十六のノードの間に第三の機械的スイッチがあり、第十八のノードと第十九のノードの間に第五の機械的スイッチがあり、第十九のノードと第二十のノードの間に第六の機械的スイッチがあり、
第一の機械的スイッチ、第二の機械的スイッチ、第三の機械的スイッチ、第五の機械的スイッチ、第六の機械的スイッチの設定は、請求項１または請求項５に記載の条件検出装置を用いた結果を基に設定された状態で出荷される
こと特徴とする制御装置。
【発明の詳細な説明】
【技術分野】
【０００１】
本発明は、スイッチの設定を決定するための条件検出装置、条件検出方法、その条件検出方法を用いてスイッチの設定を決定した制御装置に関する。
【背景技術】
【０００２】
近年、太陽光発電、風力発電、水力発電等の自然エネルギー発電が注目を集めている。自然エネルギーによる発電システムには、系統連係システムと独立電源システムの２種類がある。前者は、日本であれば１００Ｖの交流に変換した上で、消費される電力より発電量が少なければ電力会社の系統から電力を購入し、消費される電力より発電量が多ければ電力会社の系統に売電する。後者は、発電時には蓄電装置に電力を蓄え、電力を使用するときは蓄電装置から電力を供給する。前者は大規模なシステムに向き、後者は小規模なシステムや、商用電力が得られない僻地、船などの乗り物へ搭載する場合などに向く。後者は本出願時点でそれほど市場規模が大きくないが一定の需要がある。
【０００３】
後者の独立電源システムは、一般的には、発電装置、蓄電装置、電荷制御装置などで構成される。それ以外に整流素子、直流を交流に変換するインバータなどが含まれる場合もある。蓄電装置には、例えば鉛蓄電池が用いられることがあるが、鉛蓄電池には充電をしすぎると爆発などの危険性がある過充電と呼ばれる現象、放電しすぎると蓄電量が減少したり使用できなくなったりする過放電という現象が知られている。他の蓄電池でもこれらの現象が知られているものがある。また蓄電装置が電気二重層キャパシタなどのキャパシタの場合でも、充電しすぎて過電圧がかかってしまうと問題になるとされている。そのため、独立電源システムでは、過充電と過放電を防ぐために電荷制御装置が用いられる。電荷制御装置は、チャージコントローラなどと呼ばれる。
【０００４】
電荷制御装置は、過充電防止機能、過放電防止機能などを持つ。過充電防止回路は、蓄電装置両端の電圧をコンパレータで参照電圧と比較し、その結果が一定電圧値以上であった場合、発電装置と蓄電装置を切り離すもの、蓄電装置両端の電圧をアナログ・ディジタル変換器で変換し、その結果が一定電圧値以上であった場合、発電装置と蓄電装置を切り離すものなどが一般的である。
【０００５】
しかし、この方法は消費電流が大きく、これより消費電流が小さくなる過充電防止回路が同一出願人より特許文献１、特許文献２、特許文献３に示される方法により実現できる。ここで挙げた３文献に共通するのは、「第一の過電圧基本判定回路は、第一の１つのダイオードまたは複数の直列接続されたダイオード群、第一の抵抗負荷、第一のバイポーラトランジスタを持ち、前記第一の１つのダイオードまたは複数の直列接続されたダイオード群には、前記第一の１つのダイオードまたは複数の直列接続されたダイオード群の両端にかかる電圧の指数に比例した第一の電流が流れ、前記第一の１つのダイオードまたは複数の直列接続されたダイオード群に流れる前記第一の電流を前記第一のバイポーラトランジスタで増幅コピーし第二の電流とし、前記第二の電流を前記第一の抵抗負荷に流すことにより第一の電位に変換する」回路を備えることである。この回路により、消費電流が抑えられることがわかった。尚、特許文献３では転換負荷回路という用語を用いているが、転換負荷回路も過充電防止回路の一種であると考えている。
【０００６】
しかし、この回路は、同時に、ダイオードの閾値のばらつきに弱いということもわかった。このことに対処するため、特許文献１、特許文献３では、「前記第一の１つのダイオードまたは複数の直列接続されたダイオード群が、複数のダイオード群から構成されている場合には、電流が流れる経路上に存在するダイオードの種類または数またはその両方が、第一の機械的なスイッチまたはスイッチ群により切り替わり、電流が流れる経路上に存在するダイオードの順方向降下電圧の合計が変わることにより、前記第一の１つのダイオードまたは複数の直列接続されたダイオード群の順方向降下電圧は、前記第一の機械的なスイッチまたはスイッチ群により変更できる」ようにすることにより、ばらつきに対処する。すなわち、等価的な順方向降下電圧をスイッチにより制御するという発想である。
【先行技術文献】
【特許文献】
【０００７】
【特許文献１】特開2011-250665
【特許文献２】特許第5495217号
【特許文献３】特願2016-066939
【発明の概要】
【発明が解決しようとする課題】
【０００８】
しかしながら、スイッチの設定内容を自動的に検出する装置・方法は開示されていない。そのため、手動で適切なスイッチの設定を評価の上、設定する必要がある。この点に鑑み、消費電流が小さい過充電防止回路、つまり過電圧保護装置を製造・出荷するための、スイッチの条件検出装置・方法を提供することを課題とする。
【課題を解決するための手段】
【０００９】
この課題を解決するために、スイッチの設定内容を自動的に検出する装置は、「第一のノード、第二のノード、第三のノード、第四のノード、第五のノード、第六のノードがあり、第九のノード、第十のノード、第十一のノード、第十二のノードがあり、第一の機械式リレー、第二の機械式リレー、第三の機械式リレー、第五の機械式リレー、第六の機械式リレー、マイクロプロセッサを持ち、前記第一の機械式リレーは、第一の入力信号によって前記第一のノードと前記第二のノードを短絡または解放し、前記第二の機械式リレーは、第二の入力信号によって前記第三のノードと前記第四のノードを短絡または解放し、前記第三の機械式リレーは、第三の入力信号によって前記第五のノードと前記第六のノードを短絡または解放し、前記第五の機械式リレーは、第五の入力信号によって前記第九のノードと前記第十のノードを短絡または解放し、前記第六の機械式リレーは、第六の入力信号によって前記第十一のノードと前記第十二のノードを短絡または解放し、前記マイクロプロセッサは、プログラミングメモリとランダムアクセスメモリを有し、前記プログラミングメモリまたは前記ランダムアクセスメモリの一部には、前記第一の入力信号および前記第二の入力信号および前記第三の入力信号および前記第五の入力信号および前記第六の入力信号のオン・オフの組み合わせを第一の電圧パラメータの順番に並べた情報が記録され、前記マイクロプロセッサは、前記第一の入力信号および前記第二の入力信号および前記第三の入力信号および前記第五の入力信号および前記第六の入力信号のオン・オフの組み合わせを出力することができ、前記マイクロプロセッサは、評価対象の装置または回路から第一の判定結果を受け取り、前記マイクロプロセッサは、第一の方法により、前記判定結果が変化する境界の、前記第一の入力信号および前記第二の入力信号および前記第三の入力信号および前記第五の入力信号および前記第六の入力信号のオン・オフの組み合わせを出力する」ことを特徴とする。
【発明の効果】
【００１０】
本発明により、消費電流が小さい過充電防止回路、過電圧保護装置のスイッチの設定を自動的に行うことにより、出荷のための測定評価に人間が要する時間を減らし、コストを削減することができおる。また、これにより、消費電流が小さい過充電防止回路が出荷できるようになり、消費電流削減により日照・風況の悪い環境でも太陽光や風力発電による独立電源システムが利用できるようになる。
【図面の簡単な説明】
【００１１】
【図１】図１は、過充電防止回路の実施の形態における過電圧保護装置の回路図である。
【図２】図２は、過充電防止回路の実施の形態における過電圧基本判定回路の回路図である。
【図３】図３は、過充電防止回路の実施の形態における保護回路の回路図である。
【図４】図４は、過充電防止回路の実施の形態のシミュレーションで用いた定電圧素子の中身である。
【図５】図５は、過充電防止回路の実施の形態の過電圧保護装置の電圧電流特性のシミュレーション結果である。
【図６】図６は、過充電防止回路の実施の形態の過電圧保護装置の電圧電流特性の実測結果である。
【図７】図７は、過充電防止回路の実施の形態の過電圧保護装置の判定電圧のスイッチ依存性のシミュレーション結果である。
【図８】図８は、過充電防止回路の実施の形態の過電圧保護装置の判定電圧のスイッチ依存性の実測結果である。
【図９】図９は、第１の実施の形態における条件検出装置の例である。
【図１０】図１０は、第１の実施の形態における条件検出方法の例である。
【図１１】図１１は、第１の実施の形態における判定順序データの例―その１である。
【図１２】図１２は、第１の実施の形態における判定順序データの例―その２である。
【図１３】図１３は、第１の実施の形態における評価対象の装置または回路からの判定結果の例である。
【図１４】図１４は、第２の実施の形態における条件検出装置の例である。
【図１５】図１５は、第３の実施の形態における条件検出方法の例である。
【図１６】図１６は、第４の実施の形態における条件検出方法の例である。
【図１７】図１７は、第４の実施の形態における分割比較関数の例である。
【図１８】図１８は、第５の実施の形態における条件検出方法の例である。
【図１９】図１９は、第５の実施の形態における期待判定電圧の例―その１である。
【図２０】図２０は、第５の実施の形態における期待判定電圧の例―その２である。
【図２１】図２１は、第５の実施の形態における評価対象の装置または回路からの判定結果の例である。
【図２２】図２２は、第６の実施の形態における出力側の接続図である。
【図２３】図２３は、第６の実施の形態における入力側の接続図である。
【図２４】図２４は、第６の実施の形態における出荷前の工程である。
【発明を実施するための最良の形態】
【００１２】
［過電圧保護装置の実施の形態］
過電圧保護装置の実施の形態は、過電圧保護装置に関する。本実施の形態は、後で説明する実施の形態で参照される。過電圧保護装置の実施の形態における過電圧保護装置の回路図を、図１に示す。第１の実施の形態に関し、構成、接続、動作、特性、本質的理由、効果の順に説明する。
【００１３】
（構成）
第１の実施の形態における過電圧保護装置１１は、過電圧基本判定回路２１、第二の増幅回路２２、冷却用ファン制御回路２３、第一の電圧入力型スイッチング素子１２３、第一の保護回路２４、第二の保護回路２５、冷却用ファン１２２を持つ。
【００１４】
第二の増幅回路２２は、ｐ型電界効果トランジスタ１１５、抵抗器１１６、抵抗器１２５により構成される。冷却用ファン制御回路２３は、ｎ型電界効果トランジスタ１１８、定電圧素子１１９より構成される。
【００１５】
第一の過電圧基本判定回路２１の詳細を図２に、第一の保護回路２４、第二の保護回路２５の詳細を図３に、定電圧素子１１９のシミュレーション上の詳細を図４に示す。
図２に示される通り、過電圧基本判定回路２１は、青色発光ダイオード１１１−１〜７、１１１−９〜１４、赤色発光ダイオード１１１−８、スイッチ１２４、抵抗器１１３−１、１１３−２、１１３−３により構成される。スイッチ１２４は例えば６Ｐスイッチ（６つのスイッチ機能を持つ部品）で、スイッチ１２４−１〜６により構成される。６Ｐスイッチは、広く流通している。
【００１６】
図３に示される通り、第一の保護回路２４、第二の保護回路２５は、青色発光ダイオード１３１−１〜５、ｎｐｎ型バイポーラトランジスタ１３２により構成される。
【００１７】
図４に示される通り、シミュレーション上の定電圧素子１１９は、演算増幅器１４１、ｎｐｎ型バイポーラトランジスタ１４２、抵抗器１４３、抵抗器１４４、抵抗器１４５、ツェナーダイオード１４６で構成される。シミュレーション上の定電圧素子１１９は、シミュレーションをする上で、定電圧素子１１９が単一素子として利用できなかったため、図４のとおりの構成としたが、実装する場合は、定電圧素子１１９の機能を単一素子で実現できるよう、部品が広く流通している。
【００１８】
上記構成は、あくまで実施の例であり、種々の変更が可能であり、本発明の範囲が上記に限定されるものではない。
【００１９】
（接続）
図１を参照し、第二の増幅回路２２の電気的接続を説明する。
【００２０】
第一のｐ型電界効果トランジスタ１１５のソースは、抵抗器１２５の一方の端子に、ゲートは、過電圧基本判定回路２１の出力ノード１１４、保護回路２４のＤＯＷＮ側に接続され、ドレインは、抵抗器１１６の一方の端子、第二のｎ型電界効果トランジスタ１１８のゲート、第一のｎ型電界効果トランジスタ１２３のゲート、保護回路２５のＵＰ側端子に接続される。
【００２１】
抵抗器１１６の一方の端子は、ｐ型電界効果トランジスタ１１５のドレイン、第二のｎ型電界効果トランジスタ１１８のゲート、第一のｎ型電界効果トランジスタ１２３のゲート、保護回路２５のＵＰ側端子に接続される。抵抗器１１６のもう一方の端子は、電源のマイナス側のノード３０３−１に接続される。
【００２２】
抵抗器１２５の一方の端子は、電源のプラス側のノード３０１−１に接続される。抵抗器１２５のもう一方の端子は、ｐ型電界効果トランジスタ１１５のソース側に接続される。
【００２３】
図１を参照し、冷却用ファン制御回路２３の電気的接続を説明する。
【００２４】
第二のｎ型電界効果トランジスタ１１８のソースは、電源のマイナス側のノード３０３−１に接続され、ゲートは、ｐ型電界効果トランジスタ１１５のドレイン、第二の抵抗負荷１１６の一方の端子、第一のｎ型電界効果トランジスタ１２３のゲート、保護回路２５のＵＰ側に接続され、ドレインは定電圧素子１１９のＶＳＳ端子、冷却ファンのＶＳＳ端子に接続される。
【００２５】
第一の定電圧素子１１９のＶＳＳ端子は、第二の電圧入力型スイッチング素子１１８のドレインおよび、冷却用ファン１２２のＶＳＳ端子に接続され、ＶＤＤ端子は、電源のプラス側のノード３０１−１に接続され、ＯＵＴ端子は、冷却用ファン１２２のＶＤＤ端子に接続される。
【００２６】
図２を参照し、第一の過電圧基本判定回路２１の電気的接続を説明する。第一の過電圧基本判定回路２１には、青色発光ダイオードが多く用いられるため、直列、連続で使用されるものはまとめて説明する。
【００２７】
青色発光ダイオード１１１−１〜４のアノード側は、スイッチ１２４−１の一方の端子、スイッチ１２４−５の一方の端子、抵抗器１１３−１の一方の端子、図２の外部ノードである電源のプラス側３０１−１に接続される。青色発光ダイオード１１１−１〜４のカソード側は、青色発光ダイオード１１１−５〜６のアノード側、スイッチ１２４−１の一方の端子、スイッチ１２４−２の一方の端子に接続される。
【００２８】
青色発光ダイオード１１１−５〜６のアノード側は、青色発光ダイオード１１１−１〜４のカソード側、スイッチ１２４−１の一方の端子、スイッチ１２４−２の一方の端子に接続される。青色発光ダイオード１１１−５〜６のカソード側は、青色発光ダイオード１１１−７のアノード側、スイッチ１２４−２の一方の端子、スイッチ１２４−３の一方の端子に接続される。
【００２９】
青色発光ダイオード１１１−７のアノード側は、青色発光ダイオード１１１−５〜６のカソード側、スイッチ１２４−２の一方の端子、１２４−３の一方の端子に接続される。青色発光ダイオード１１１−７のカソード側は、赤色発光ダイオード１１１−８のアノード側、スイッチ１２４−３、１２４−４の一方の端子に接続される。
【００３０】
赤色発光ダイオード１１８−８のアノード側は、青色発光ダイオード１１１−７のカソード側、スイッチ１２４−３の一方の端子、１２４−４の一方の端子に接続される。赤色発光ダイオード１１８−８のカソード側は、青色発光ダイオード１１１−９〜１４のアノード側、スイッチ１２４−４の一方の端子に接続される。
【００３１】
青色発光ダイオード１１１−９〜１４のアノード側は、赤色発光ダイオード１１１−８のカソード側、スイッチ１２４−４の一方の端子に接続される。青色発光ダイオード１１１−９〜１４のカソード側は、ｎｐｎ型バイポーラトランジスタのベースに接続される。
【００３２】
スイッチ１２４−１の一方の端子は、青色発光ダイオード１１１−１〜４のカソード側、青色発光ダイオード１１１−５〜６のアノード側、スイッチ１２４−２の一方の端子に接続される。スイッチ１２４−１のもう一方の端子は、青色発光ダイオード１１１−１〜４のアノード側、スイッチ１２４−５の一方の端子、抵抗器１１３−１の一方の端子、図２の外部ノードである電源のプラス側３０１−１に接続される。
【００３３】
スイッチ１２４−２の一方の端子は、青色発光ダイオード１１１−１〜４のカソード側、青色発光ダイオード１１１−５〜６のアノード側、スイッチ１２４−１の一方の端子に接続される。スイッチ１２４−２のもう一方の端子は、青色発光ダイオード１１５〜６のカソード側、青色発光ダイオード１１１−７のアノード側、スイッチ１２４−３の一方の端子に接続される。
【００３４】
スイッチ１２４−３の一方の端子は、青色発光ダイオード１１１−７のカソード側、赤色発光ダイオード１１１−８のアノード側、スイッチ１２４−４の一方の端子に接続される。スイッチ１２４−３のもう一方の端子は、青色発光ダイオード１１１−５〜６のカソード側、青色発光ダイオード１１１−７のアノード側、スイッチ１２４−２の一方の端子に接続される。
【００３５】
スイッチ１２４−４の一方の端子は、赤色発光ダイオード１１１−８のカソード側、青色発光ダイオード１１１−９〜１４のアノード側に接続される。スイッチ１２４−４のもう一方の端子は、青色発光ダイオード１１１−７のカソード側、赤色発光ダイオード１１１−８のアノード側、スイッチ１２４−３の一方の端子に接続される。
【００３６】
スイッチ１２４−５の一方の端子は、スイッチ１２４−６の一方の端子、抵抗器１１３−１の一方の端子、抵抗器１１３−２の一方の端子に接続される。スイッチ１２４−５のもう一方の端子は、青色発光ダイオード１１１−１〜４のアノード側、スイッチ１２４−１の一方の端子、抵抗器１１３−１の一方の端子、図２の外部ノードである電源のプラス側３０１−１に接続される。
【００３７】
スイッチ１２４−６の一方の端子は、スイッチ１２４−５の一方の端子、抵抗器１１３−１の一方の端子、抵抗器１１３−２の一方の端子に接続される。スイッチ１２４−６のもう一方の端子は、抵抗器１１３−２の一方の端子、抵抗器１１３−３の一方の端子に接続される。
【００３８】
抵抗器１１３−１の一方の端子は、青色発光ダイオード１１１−１〜４のアノード側、スイッチ１２４−１の一方の端子、スイッチ１２４−５の一方の端子、図２の外部ノードである電源のプラス側３０１−１に接続される。抵抗器１１３−１のもう一方の端子は、スイッチ１２４−５の一方の端子、スイッチ１２４−６の一方の端子、抵抗器１１３−２の一方の端子に接続される。
【００３９】
抵抗器１１３−２の一方の端子は、スイッチ１２４−５の一方の端子、スイッチ１２４−６の一方の端子、抵抗器１１３−１の一方の端子に接続される。抵抗器１１３−２のもう一方の端子は、スイッチ１２４−６の一方の端子、抵抗器１１３−３の一方の端子に接続される。
【００４０】
抵抗器１１３−３の一方の端子は、スイッチ１２４−６の一方の端子、抵抗器１１３−２の一方の端子に接続される。抵抗器１１３−３のもう一方の端子は、ｎｐｎ型バイポーラトランジスタ１１２のコレクタ、図２の外部ノードである出力ノード１１４に接続される。
【００４１】
ｎｐｎ型バイポーラトランジスタ１１２のコレクタは、抵抗器１１３−３の一方の端子、図２の外部ノードである出力ノード１１４に接続され、ベースは、青色発光ダイオード１１１−９〜１４のカソード側に接続され、エミッタは、図２の外部ノードである電源のマイナス側３０３−１に接続される。
【００４２】
図３を参照し、保護回路２４、保護回路２５の電気的接続を説明する。保護回路２４、保護回路２５の両者は、同一の回路である。保護回路２４、保護回路２５には、青色発光ダイオードが多く用いられるため、直列、連続で使用されるものはまとめて説明する。
【００４３】
青色発光ダイオード１３１−１〜５のアノード側は、ｎｐｎ型バイポーラトランジスタ１３２のコレクタ、外部のＵＰ端子に接続される。青色発光ダイオード１３１−１〜５のカソード側は、ｎｐｎ型バイポーラトランジスタ１３２のベースに接続される。
【００４４】
ｎｐｎ型バイポーラトランジスタのコレクタは、青色発光ダイオード１３１−１〜５のアノード側、外部のＵＰ端子に接続され、ベースは、青色発光ダイオード１３１−１〜５のカソード側に接続され、エミッタは、外部のＤＯＷＮ端子に接続される。
【００４５】
図４を参照し、シミュレーション上の定電圧素子１１９の接続を説明する。ただし、シミュレーション上ではない実際の回路上では、図４の構成は単一素子である。
【００４６】
演算増幅器１４１のＶＤＤ端子（図４でＯ−ＶＤＤと表記）は、ｎｐｎ型バイポーラトランジスタ１４２のコレクタ、外部のＶＤＤに接続され、ＶＳＳ端子（図４でＯ−ＶＳＳと表記）は、抵抗器１４４の一方の端子、ツェナーダイオード１４６のアノード、外部のＶＳＳに接続され、マイナス入力端子（図４で−と表記）は、抵抗器１４３の一方の端子、抵抗器１４４の一方の端子が接続され、プラス入力端子（図４で＋と表記）は、抵抗器１４５の一方の端子、ツェナーダイオード１４６のカソードが接続され、出力端子には、ｎｐｎ型バイポーラトランジスタ１４２のベースが接続される。
【００４７】
ｎｐｎ型バイポーラトランジスタ１４２のコレクタは、演算増幅器１４１のＶＤＤ端子、外部のＶＤＤに接続され、ベースは、演算増幅器１４１の出力に接続され、エミッタは、抵抗器１４３の一方の端子、抵抗器１４５の一方の端子、外部のＯＵＴ端子に接続される。
【００４８】
抵抗器１４３の一方の端子は、抵抗器１４５の一方の端子、ｎｐｎ型バイポーラトランジスタ１４２のエミッタ、外部のＯＵＴ端子に接続される。抵抗器１４３のもう一方の端子は、抵抗器１４４の一方の端子、演算増幅器１４１のマイナス入力端子に接続される。
【００４９】
抵抗器１４４の一方の端子は、抵抗器１４３の一方の端子、演算増幅器１４１のマイナス端子に接続される。抵抗器１４４のもう一方の端子は、ツェナーダイオード１４６のアノード、演算増幅器１４１のＶＳＳ端子、外部のＶＳＳに接続される。
【００５０】
抵抗器１４５の一方の端子は、抵抗器１４３の一方の端子、ｎｐｎ型バイポーラトランジスタ１４２のエミッタ、外部のＯＵＴ端子に接続される。抵抗器１４５のもう一方の端子は、ツェナーダイオードのカソード側、演算増幅器１４１のプラス入力端子に接続される。
【００５１】
ツェナーダイオード１４６のカソード側は、抵抗１４５の一方の端子、演算増幅器１４１のプラス入力端子に接続される。ツェナーダイオード１４６のアノード側は、抵抗器１４４の一方の端子、演算増幅器１４１のＶＳＳ端子、外部のＶＳＳに接続される。
【００５２】
図１を参照し、その他の部分の接続を説明する。
【００５３】
冷却用ファン１２２のＶＤＤ端子は、定電圧素子１１９のＯＵＴ端子に接続され、ＶＳＳ端子は、第二のｎ型電界効果トランジスタ１１８のドレインおよび、定電圧素子１１９のＶＳＳ端子に接続される。
【００５４】
第一のｎ型電界効果トランジスタ１２３のソースは、電源のマイナス側のノード３０３−１に接続され、ゲートは、ｐ型電界効果トランジスタ１１５のドレインおよびと抵抗器１１６の一端および、第二のｎ型電界効果トランジスタ１１８のゲートに接続され、ドレインは、電源のプラス側のノード３０１−１に接続される。
【００５５】
冷却用ファン１２２は、第一のｎＭＯＳ型電界効果型トランジスタ１２３を冷却するように物理的に配置する。通常、冷却用ファン１２２にヒートシンクが取り付けられ、そのヒートシンクが第一のｎ型電界効果型トランジスタ１２３に密着するように配置される。
【００５６】
ノード３０１−１は、電源のプラス側のノードで、発電装置、蓄電装置のプラス側を接続する。ノード３０３−１は、電源のマイナス側のノードで、発電装置、蓄電装置のマイナス側を接続する。
【００５７】
あまり本質的ではないため図示しなかったが、安定化のため、ノード１２６、ノード１２０、ノード１２１にはキャパシタを接続するとよい。上記接続は、あくまで実施の例であり、種々の変更が可能であり、本発明の範囲が上記に限定されるものではない。
【００５８】
（動作）
図１を参照し、発電装置、蓄電装置の両端の電圧が十分低い場合の過電圧保護装置１１の動作を説明する。発電装置、蓄電装置の両端の電圧が十分低い場合、過電圧基本判定回路２１はノード１１４に高い電位を出力する（詳細後述）。その結果、ｐ型電界効果トランジスタ１１５はソース・ドレイン間に電流をほとんど流さない。その結果、抵抗器１１６の両端に電圧がほとんど発生せず、ノード１２６は低い電位となる。ここで抵抗器１２５の抵抗値は小さいので、動作にほとんど影響しない。その結果、第一のｎ型電界効果トランジスタ１２３は、ソース・ドレイン間にほとんど電流を流さない。この場合、第一のｎ型電界効果トランジスタ１２３に、熱はほとんど発生しない。
【００５９】
また、第二の電界効果トランジスタ１１８のソース・ドレイン間にも電流が流れない。その結果、定電圧素子１１９のＶＳＳ端子は、ＶＤＤ端子とほぼ同じ電位となり、ＯＵＴ端子もＶＤＤ端子とほぼ同じ電位となる。そして冷却ファン１２２のＶＤＤ端子とＶＳＳ端子もほぼ同じ電位となり、冷却ファン１２２は回転しない。第一のｎＭＯＳ電界効果トランジスタ１２３に、熱はほとんど発生しないため、冷却ファン１２２は回転する必要はない。
【００６０】
続いて、図２を参照し、過電圧基本判定回路２１はノード１１４に高い電位を出力することを説明する。６Ｐスイッチ１２４の各スイッチは、機械的スイッチで、動作中オン・オフはしないものとする。
【００６１】
発電装置、蓄電装置の両端の電圧が十分低い場合、青色発光ダイオード１１１−１〜７赤色発光ダイオード１１１−８、青色発光おダイオード１１１−１４の一部または全部に流れる電流は非常に少ない。そのため、ｎｐｎ型バイポーラトランジスタ１１２のベース・エミッタ間の電流は非常に少ないためコレクタ・エミッタ間の電流も非常に小さい。そのため、抵抗器１１３−１、抵抗器１１３−２、抵抗器１１３−３の一部または全部の電圧は非常に小さい。そのため、ノード１１４には高い電位を出力する。
【００６２】
このようにして、発電装置、蓄電装置の両端の電圧が十分低い場合、第一のｎ型電界効果トランジスタ１２３は、ソース・ドレイン間にほとんど電流を流さない。また、過充電基本判定回路２１、第二の増幅段２２、冷却ファン制御回路２３、冷却ファン１２２、第一のｎ型電界効果トランジスタは１２３のすべてが、電力を消費しない。あるいは、消費する電力が極めて小さい。
【００６３】
図１を参照し、発電装置、蓄電装置の両端の電圧が十分高い場合の過電圧保護装置１１の動作を説明する。発電装置、蓄電装置の両端の電圧が十分高い場合、過電圧基本判定回路２１はノード１１４に低い電位を出力する（詳細後述）。その結果、ｐ型電界効果トランジスタ１１５はソース・ドレイン間に電流を流す。その結果、抵抗器１１６の両端に大きな電圧が発生し、ノード１２６は高い電位となる。ここで抵抗器１２５の抵抗値は小さいので、動作にほとんど影響しない。その結果、第一のｎ型電界効果トランジスタ１２３は、ソース・ドレイン間に大きな電流を流す。そのため、発電装置、蓄電装置の両端の電圧は一定以上になるのを防ぐ。また、この場合、第一のｎ型電界効果トランジスタ１２３に、熱が発生する。
【００６４】
また、第二の電界効果トランジスタ１１８のソース・ドレイン間にもある程度の電流が流れる。その結果、定電圧素子１１９のＶＳＳ端子は、発電装置、蓄電装置のマイナス端子３０３−１とほぼ同じ電位となり、ＯＵＴ端子はＶＳＳより例えば１２Ｖ高い電位となる。そして冷却ファン１２２のＶＤＤ端子とＶＳＳ端子間は例えば１２Ｖとなり、冷却ファン１２２が回転する。第一のｎ型電界効果トランジスタ１２３に、熱が発生するが、冷却ファン１２２が回転し冷却される。第一のｎ型電界効果トランジスタ１２３に、一定以上の電流が流れる場合のみ冷却ファン１２２が冷却のために回転する。
【００６５】
続いて、図２を参照し、過電圧基本判定回路２１はノード１１４に高い低い電位を出力することを説明する。６Ｐスイッチ１２４の各スイッチは、機械的スイッチで、動作中オン・オフは切り替わらないものとする。
【００６６】
発電装置、蓄電装置の両端の電圧が十分高い場合、青色発光ダイオード１１１−１〜７赤色発光ダイオード１１１−８、青色発光ダイオード１１１−１４の一部または全部に電流が流れる。そのため、ｎｐｎ型バイポーラトランジスタ１１２のベース・エミッタ間の電流はある程度大きいためコレクタ・エミッタ間の電流もある程度大きい。そのため、抵抗器１１３−１、抵抗器１１３−２、抵抗器１１３−３の一部または全部にかかる電圧は大きい。そのため、ノード１１４には低い電位を出力する。
【００６７】
このようにして、発電装置、蓄電装置の両端の電圧が十分高い場合、第一のｎ型電界効果トランジスタ１２３は、ソース・ドレイン間に大きな電流を流す。また、過充電基本判定回路２１、第二の増幅段２２、冷却ファン制御回路２３、冷却ファン１２２、第一のｎ型電界効果トランジスタは１２３のすべてが、電力を消費する。あるいは、消費する電力が大きい。
【００６８】
以上のように、発電装置、蓄電装置の両端の電圧が十分高い場合、過電圧保護装置１１は第一のｎ型電界効果トランジスタ１２３に大きな電流を流すことにより、発電装置、蓄電装置の両端の電圧が上がりすぎないようにすることができる一方、発電装置、蓄電装置の両端の電圧が十分小さい場合、電力をほとんど消費しない。
【００６９】
図２の、青色発光ダイオード１１１−１〜７、赤色発光ダイオード１１１−８、青色発光ダイオード１１１−１４の一部または全部は、それら自身のかかる電圧に対し、それら自身に流れる電流が指数関数的に変化する、つまり大きく変化する。そして、抵抗器１１３−１、抵抗器１１３−２、抵抗器１１３−３の一部または全部とｎｐｎ型バイポーラトランジスタ１１２により、電流が電圧に変換されるとともに増幅される。そして、図１の第二の増幅段２２により大幅に増幅される。そのため、わずかな発電装置、蓄電装置の両端の電圧の変化で、第一のｎ型電界効果トランジスタ１２３に流れる電流は大きく変化する（特性後述）。第一のｎ型電界効果トランジスタ１２３に流れる電流が大きく変化する発電装置、蓄電装置の両端の電圧を、過電圧判定電圧と定義することにする。
【００７０】
次に、図１に示される過充電基本判定回路２１の動作により、発光ダイオードの製造バラツキに対応し、過電圧判定電圧を調整する動作・原理について説明する。
【００７１】
６Ｐスイッチの各スイッチのうち、スイッチ１２４−１〜４は、発光ダイオードによる降下電圧（電圧降下電圧）を調整する。スイッチ１２４−１〜４により、電流が流れる経路を調整することができる。スイッチ１２４−１〜４のオン・オフの組み合わせにより、電流が流れる経路が変わる。そのため、過電圧判定電圧を調整することができる。
【００７２】
１つ目の例であるが、例えば、スイッチ１２４−１〜４がすべてオンの場合、スイッチ１２４−１、スイッチ１２４−２、スイッチ１２４−３、スイッチ１２４−４、青色発光ダイオード１１１−９〜１４を通る。すなわち、発光ダイオード１１１−１〜１４のうち、青色発光ダイオード１１１−９〜１４にのみ電流が流れるので、降下電圧は青色発光ダイオード６つ分となる。そのため、青色発光ダイオード６つ分に対応する過電圧判定電圧となる。
【００７３】
２つ目の例であるが、例えば、スイッチ１２４−１〜３がオン、スイッチ１２４−４がオフの場合、電流は、スイッチ１２４−１、スイッチ１２４−２、スイッチ１２４−３、赤色発光ダイオード１１１−８、青色発光ダイオード１１１−９〜１４を通る。すなわち、発光ダイオード１１１−１〜１４のうち、赤色発光ダイオード１１１−８、青色発光ダイオード１１１−９〜１４にのみ電流が流れるので、降下電圧は青色発光ダイオード６つ分プラス赤色発光ダイオード１個分となる。そのため、青色発光ダイオード６つ分プラス赤色発光ダイオード１つ分に対応する過電圧判定電圧となり、先ほどの例より過電圧判定電圧は大きくなる。
【００７４】
３つ目の例であるが、例えば、スイッチ１２４−１〜４がすべてオフの場合、青色発光ダイオード１１１−１〜４、青色発光ダイオード１１１−５〜６、青色発光ダイオード１１１−７、赤色発光ダイオード１１１−８、青色発光ダイオード１１１−９〜１４を通る。すなわち、発光ダイオード１１１−１〜１４のうち、すべてに電流が流れるので、降下電圧は青色発光ダイオード１３個分プラス赤色発光ダイオード１つ分となる。そのため、青色発光ダイオード１３個分プラス赤色発光ダイオード１つ分に対応する過電圧判定電圧となる。
【００７５】
このように、１６通りの過電圧判定電圧が調整可能である。１６通りすべてに対して説明すると長くなるので、上記の３例の説明でもって、１６通りの過電圧判定電圧が調整可能であることが、説明・開示されたものと考える。
【００７６】
赤色発光ダイオードは、青色発光ダイオードの半分の降下電圧のもの選ぶとよい。この場合、スイッチ１２４−１で４つの青色発光ダイオード分の降下電圧が変わり、スイッチ１２４−２で２つの青色発光ダイオード分の降下電圧が変わり、スイッチ１２４−３で１つの青色発光ダイオード分の降下電圧が変わり、スイッチ１２４−４で１つの赤色発光ダイオードの降下電圧つまり青色発光ダイオード０．５個分の降下電圧が変わる。そのため、青色発光ダイオード０．５個分から７．５個分までの１６通りの降下電圧に対応した過電圧判定電圧が調整可能となる。
【００７７】
６Ｐスイッチの各スイッチのうち、スイッチ１２４−５〜６は、電流を受ける抵抗の抵抗値を調整する。スイッチ１２４−５〜６により、電流が流れる経路を調整することができる。スイッチ１２４−５〜６のオン・オフの組み合わせにより、電流が流れる経路が変わる。そのため、抵抗器１１３−１〜３、スイッチ１２４−５〜６の合成抵抗が変わり、以下の理由により、過電圧判定電圧を調整することができる。
【００７８】
発電装置、蓄電装置の両端の電圧をｘとすると、発光ダイオード１１１−１〜１４に流れる電流は、Ａｅｄｘで表すことができる。ここでＡ、ｄは定数、ｅは自然対数の底である。抵抗器１１３−１〜３、スイッチ１２４−５〜６の合成抵抗をＢとし、抵抗器１１３−１〜３の電圧がＣで、過電圧判定が切り替わるとすると、
Ａｅｄｘ・Ｂ＝Ｃ                               ・・・（式１）
が成り立つ。よって、
ｘ＝１／ｄ・ｌｎ（Ｃ／ＡＢ）∝ｌｎ（１／Ｂ）                    ・・・（式２）
が成り立つ。ここでｌｎは自然対数を表す。したがって、過電圧判定が切り替わる電圧は、抵抗器１１３−１〜３、スイッチ１２４−５〜６の合成抵抗に反比例した値の対数に比例する。抵抗器１１３−１〜３、スイッチ１２４−５〜６の合成抵抗が小さい方が、過電圧判定電圧が大きくなり、抵抗器１１３−１〜３、スイッチ１２４−５〜６の合成抵抗が大きい方が、過電圧判定電圧が小さくなる。ただし、単純な比例関係となるわけではない。
【００７９】
以下では抵抗器１１３−１は１ＭΩ（メガオーム）、抵抗器１１３−２は４７０ｋΩ（キロオーム）、抵抗器１１３−２は４７０ｋΩ（キロオーム）として説明する。
【００８０】
スイッチ１２４−５、スイッチ１２４−６が共にオンの場合、電流は、スイッチ１２４−５、スイッチ１２４−６、抵抗器１１３−３を通る。すなわち、抵抗器１１３−１〜３のうち抵抗器１１３−３のみに電流が流れるので、実質的な抵抗は４７０ｋΩ（キロオーム）となる。
【００８１】
スイッチ１２４−５がオン、スイッチ１２４−６がオフ場合、電流は、スイッチ１２４−５、抵抗器１１３−２、抵抗器１１３−３を通る。すなわち、抵抗器１１３−１〜３のうち抵抗器１１３−２、抵抗器１１３−３に電流が流れるので、実質的な抵抗は９４０ｋΩ（キロオーム）となる。
【００８２】
スイッチ１２４―５がオフ、スイッチ１２４−６がオン場合、電流は、抵抗器１１３−１、スイッチ１２４−６、抵抗器１１３−３を通る。すなわち、抵抗器１１３−１〜３のうち抵抗器１１３−１、抵抗器１１３−３に電流が流れるので、実質的な抵抗は１．４７ＭΩ（メガオーム）となる。
【００８３】
スイッチ１２４−５、スイッチ１２４−６が共にオフ場合、電流は、抵抗器１１３−１、抵抗器１１３−２、抵抗器１１３−３を通る。すなわち、抵抗器１１３−１〜３のうちすべてに電流が流れるので、実質的な抵抗は１．９４ＭΩ（メガオーム）となる。
【００８４】
以上説明したとおり、スイッチ１２４−１〜６までによって、過電圧判定電圧を調整することができる。スイッチ１２４−１が一番粗動側、スイッチ１２４−６が一番微動側である。すなわち、スイッチ１２４−１で一番大きく過電圧判定電圧を変え、スイッチ１２４−６で一番小さく過電圧判定電圧を調整する。このようにして、発光ダイオードの製造バラツキに対応する。
【００８５】
次に、図３に示される保護回路の動作について説明する。この保護回路は、ＵＰ端子からＤＯＷＮ端子までの間の電圧が一定以上上昇しないようにする。
【００８６】
ＵＰ端子からＤＯＷＮ端子までの電圧が十分に小さいときは、青色発光ダイオード１３１−１〜５は電流をほとんど流さない。そのため、ｎｐｎ型バイポーラトランジスタ１３２のベース・エミッタ間にはほとんど電流を流さない。そのため、ｎｐｎ型バイポーラトランジスタ１３２のコレクタ・エミッタ間にもほとんど電流を流さず、ＵＰ端子、ＤＯＷＮ端子間に電流を流さない。
【００８７】
ＵＰ端子からＤＯＷＮ端子までの電圧が十分に大きくなると、青色発光ダイオード１３１−１〜５は電流を流す。そのため、ｎｐｎ型バイポーラトランジスタ１３２のベース・エミッタ間に電流を流す。そのため、ｎｐｎ型バイポーラトランジスタ１３２のコレクタ・エミッタ間に電流を流し、ＵＰ端子、ＤＯＷＮ端子間に電流を流す。このことにより、ＵＰ端子、ＤＯＷＮ端子間の電圧が大きくなりすぎないようにする。
【００８８】
以上のように、この保護回路はＵＰ、ＤＯＷＮ端子間に大きな電圧がかかると電流を流し、電圧が大きくなりすぎないようにする。
【００８９】
次に、図１を参照し、実際の回路でどのような役割を果たすか説明する。
【００９０】
保護回路２４によって、ｐ型電界効果トランジスタ１１５のソース・ゲート間に大きな電圧がかかり過ぎないようにし、ｐ型電界効果トランジスタ１１５を保護する。電界効果トランジスタは、ソース・ゲート間の耐圧が２０Ｖ程度のものが多い。
【００９１】
保護回路２５によって、ｎ型電界効果トランジスタ１１８、ｎ型電界効果トランジスタ１２３のソース・ゲート間に大きな電圧がかかり過ぎないようにし、ｎ型電界効果トランジスタ１１８、ｎ型電界効果トランジスタ１２３を保護する。第二の増幅段２２、保護回路２５は、発電装置、蓄電装置の両端の電圧が非常に大きくなった場合に、ｐ型電界高トランジスタ１１５により、ノード１２６の電位を上げようとする効果と、保護回路２５によってノード１２６の電位を下げようとする効果が戦い、保護回路２５による効果が十分発揮されない可能性があるので、ｐ型電界高トランジスタ１１５の能力を抑えるために、抵抗器１２５を挿入しておくとよい。抵抗器１２５は、例えば４７Ωが適する。こうすることにより、発電装置、蓄電装置の両端の電圧が非常に大きくなった場合に、ノード１２６の電位が上がり過ぎないようにすることができる。
【００９２】
発電装置、蓄電装置の両端の電圧が小さい場合、ノード１１４の電位は高くなる。そして発電装置、蓄電装置の両端の電圧が過電圧判定電圧より大きくなると、ノード１１４の電位は低くなる。そして、何らかの理由により、発電装置、蓄電装置の両端の電圧が過電圧判定電圧が非常に大きくなると、保護回路２４の働きにより、ノード１１４の電位は、低いが、発電装置、蓄電装置のプラス端子側から見た差分は２０Ｖ以下の値に抑えられる。
【００９３】
発電装置、蓄電装置の両端の電圧が小さい場合、ノード１２６の電位は低くなる。そして発電装置、蓄電装置の両端の電圧が過電圧判定電圧より大きくなると、ノード１２６の電位は高くなる。そして、何らかの理由により、発電装置、蓄電装置の両端の電圧が過電圧判定電圧より非常に大きくなると、保護回路２５の働きにより、ノード１２６の電位は、高いが、発電装置、蓄電装置のマイナス端子側から見た差分は２０Ｖ以下の値に抑えられる。
【００９４】
（特性）
次に、過電圧保護装置１１の電気的特性について述べる。図５に、蓄電装置両端の電圧と蓄電装置を短絡する電流の関係のシミュレーション結果を示す。図５は、スイッチ１２４−１はオン、スイッチ１２４−２はオン、スイッチ１２４−３オン、スイッチ１２４−４はオフ、スイッチ１２４−５はオン、スイッチ１２４−６はオフのときのものである。図６に、蓄電装置両端の電圧と蓄電装置を短絡する電流の関係の実測値を示す。図６はスイッチ１２４−１はオン、スイッチ１２４−２はオフ、スイッチ１２４−３オン、スイッチ１２４−４はオン、スイッチ１２４−５はオフ、スイッチ１２４−６はオフのときのものである。共に（ａ）はリニアスケール、（ｂ）は対数スケールで描かれており、両者は同じことを表している。例えば１．Ｅ−０３は１０−３を表す。
【００９５】
シミュレーションの図５を見ると、シミュレーションによると、蓄電装置両端の電圧が１４．１４Ｖ付近で、蓄電装置両端の電圧のわずかな変化で蓄電装置両端を短絡する電流が一気に増えることが分かる。点は、蓄電装置両端の電圧１ｍＶ（ミリボルト）ごとに打たれているため、蓄電装置両端を短絡する電流が約６桁変化するのに、蓄電装置両端の電圧が６ｍＶ（ミリボルト）以下の変化しか必要ない。また、蓄電装置両端の電圧が過電圧判定電圧より十分小さいとき、蓄電装置両端を短絡する電流である消費電流は、４０μＡ（マイクロアンペア）以下である。少なくとも、過電圧判定電圧より１００ｍＶ（ミリボルト）低い蓄電装置両端の電圧が１４．０４Ｖにおいて、蓄電装置両端を短絡する電流である消費電流は、４０μＡ（マイクロアンペア）以下である。
【００９６】
配線抵抗などの影響なども含んだ実測値の図６を見ても、蓄電装置両端の電圧が１４．０Ｖ〜１４．１Ｖ付近で、蓄電装置両端の電圧と蓄電装置両端を短絡する電流が一気に増えることが分かる。実験に用いた直流電源装置が、２．５Ａ（アンペア）までしか流せないものであったため、数十Ａ（アンペア）の電流を流した結果は載せていないが、蓄電装置両端の電圧が１００ｍＶ（ミリボルト）の変化で、蓄電装置両端を短絡する電流が６桁近く変化している。また、蓄電装置両端の電圧が過電圧判定電圧より十分小さいとき、蓄電装置両端を短絡する電流である消費電流は、２μＡ（マイクロアンペア）以下である。少なくとも、過電圧判定電圧より１００ｍＶ（ミリボルト）低い蓄電装置両端の電圧が１１３．９８Ｖにおいて、蓄電装置両端を短絡する電流である消費電流は、２μＡ（マイクロアンペア）以下である。発明者の最近の研究により、過電圧基本判定回路２１には、ツェナーダイオードを用いるよりも発光ダイオードを用いる方が、低消費電流性に優れることが分かっている。尚、実測データは、素子のばらつきや温度依存性により、同様の回路・装置を作っても同じ結果になるとは限らないことに注意が必要である。
【００９７】
また、過電圧保護装置１１には、蓄電装置のプラス端子と、発電装置のプラス端子間にスイッチとして働く電界効果トランジスタ等が不要である。そのため、蓄電装置両端を短絡する電流による消費電流に起因する消費電力以外に、わずかな配線による電圧降下を除くと消費電力は存在しない。
【００９８】
以上まとめると、過電圧判定電圧付近で、蓄電装置両端を短絡する電流は、蓄電装置両端の電圧に対して急激に変化し、蓄電装置両端の電圧が過電圧判定電圧より十分小さいとき、蓄電装置両端を短絡する電流である消費電流は非常に小さい。
【００９９】
次に、図２を用いて説明したスイッチ１２４依存性について述べる。図７に、スイッチ１２４の設定と過電圧判定電圧の関係のシミュレーション結果を示す。図８、スイッチ１２４の設定と過電圧判定電圧の関係の実測値を示す。例えば、一番左の棒は、スイッチ１２４−１がオン、スイッチ１２４−２がオン、スイッチ１２４−３がオン、スイッチ１２４−４がオン、スイッチ１２４−５がオフ、スイッチ１２４−６がオフのときの過電圧判定電圧である。
【０１００】
スイッチ１２４−１〜４により発光ダイオードの降下電圧が決まり、上位のスイッチの変化が、下位のスイッチの変化の半分の降下電圧となるため、スイッチ１２４−１〜４と過電圧判定電圧の関係は、ＤＡ（ディジタル・アナログ)変換したような結果となる。一方、スイッチ１２１−５、６による過電圧判定電圧の変化の効果は、式２に示した通り、単純な線形の関係とはならない。図２に示した構成の場合、スイッチ１２４内の下の番号（１、２、３、４、５、６）が小さいほど、過電圧判定電圧の変化が大きい。尚、実測データは、素子のばらつきや温度依存性により、同様の回路・装置を作っても同じ結果になるとは限らないことに注意が必要である。尚、シミュレーションは２７℃、実測値は２０℃で行った。
【０１０１】
シミュレーションの図７では、１３Ｖ〜２９Ｖの過電圧判定電圧に調整できる。実測値の図８では、１１Ｖ〜２５Ｖの過電圧判定電圧に調整できる。シミュレーションと実測値で過電圧判定電圧の結果が異なるのは、主として発光ダイオード１１１−１〜１４のモデルが異なることにより、発光ダイオード１１１−１〜１４の降下電圧が異なることに起因する。
【０１０２】
（本質的理由）
過電圧保護装置１１は、蓄電装置両端の電圧が過電圧判定電圧より十分小さいとき、蓄電装置両端を短絡する電流である消費電流は非常に小さく、消費電力が非常に小さい。その本質的理由は、構成する各部分である、第一の過電圧基本判定回路２１、第二の増幅回路２２、冷却用ファン制御回路２３、第一の電圧入力型スイッチング素子１２３、第一の保護回路２４、第二の保護回路２５、冷却用ファン１２２がそれぞれ、蓄電装置両端の電圧が過電圧判定電圧より十分小さいときに、極めて小さい電流しか消費しないためである。
【０１０３】
第一の過電圧基本判定回路２１に関しては、発光ダイオードは、両端にかかる電圧に対し流れる電流が指数関数的に変化するため、蓄電装置両端の電圧が過電圧判定電圧より十分小さいときは発光ダイオード１１１−１〜１４に流れる電流は極めて小さい。また、ｎｐｎ型バイポーラトランジスタ１１２のコレクタ、エミッタ間に流れる電流も、発光ダイオード１１１−１〜１４に流れる電流を増幅しているため、極めて小さい。
【０１０４】
第二の増幅回路２２は、ｎ型電界効果トランジスタとｐ型電界効果トランジスタによるいわゆるインバータ回路ではないため、貫通電流が流れることもなく、ノード１１４の電位が高い場合は、ｐ型電界効果トランジスタ１１５もほとんど電流を流さない。
【０１０５】
冷却用ファン制御回路２３は、ノード１２６の電位が低い場合、ｎ型電界効果トランジスタ１１８が定電圧素子１１９への電流供給を止めてしまうため、定電圧素子１１９と冷却ファンの消費する電流は極めて小さくなる。また、ｎ型電界効果トランジスタ１２３の
消費電流も非常に小さくなる。冷却ファンは、ｎ型電界効果トランジスタ１２３の消費電流が小さいときは回転する必要がない。
【０１０６】
過電圧保護装置１１は、電圧判定電圧付近で、蓄電装置両端を短絡する電流は、蓄電装置両端の電圧に対して急激に変化する。その本質的理由は、第一の過電圧基本判定回路２１における発光ダイオードが、両端にかかる電圧に対し流れる電流が指数関数的に変化することを利用し、ｎｐｎ型バイポーラトランジスタ１１２および第二の増幅回路２２で増幅しているためである。これだけの増幅段でも先ほど示した急峻な電圧電流特性が実現する。
【０１０７】
過電圧保護装置１１は、発光ダイオードの降下電圧がばらついても所望の過電圧判定電圧を実現できる。その本質的理由は、スイッチにより、発光ダイオード１１１−１〜１４を含む部分の降下電圧と抵抗器１１３−１〜３を含む部分の合成抵抗を調整できるためである。
【０１０８】
（効果）
第１の実施の形態により、転換負荷機能を持つ過電圧保装置の電力を消費するべきではない場合の自己消費電流、消費電力を極めて小さく抑えることができ、かつ蓄電装置を短絡する電流の電圧依存性を極めて小さく抑えることができる。また、発光ダイオードの降下電圧がばらついても所望の過電圧判定電圧を実現できる。
【０１０９】
［第１の実施の形態］
第１の実施の形態は、適切な過電圧判定電圧にするための設定を検出するための条件検出装置に関する。過電圧保護装置の実施の形態で説明した過充電保護装置などのスイッチの条件検出を目的とする。第１の実施の形態の条件検出装置に関し、装置の回路、回路の中のマイクロプロセッサの動作フローチャート、判定の工程例の順に説明する。第１の実施の形態は、条件検出装置を図９に示す。
【０１１０】
第１の実施の形態の条件検出装置には、外部接続可能な第一のノード５０１、外部接続可能な第二のノード５０２、外部接続可能な第三のノード５０３、外部接続可能な第四のノード５０４、外部接続可能な第五のノード５０５、外部接続可能な第六のノード５０６、外部接続可能な第七のノード５０７、外部接続可能な第八のノード５０８、外部接続可能な第九のノード５０９、外部接続可能な第十のノード５１０、外部接続可能な第十一のノード５１１、外部接続可能な第十二のノード５１２がある。
【０１１１】
第１の実施の形態の条件検出装置は、第一の機械式リレー２１１、第二の機械式リレー２１２、第三の機械式リレー２１３、第四の機械式リレー２１４、第五の機械式リレー２１５、第六の機械式リレー２１６、マイクロプロセッサ２９１を持つ。そして、端子台２０１、端子台２０２、端子台２０３、端子台２０４、端子台２０５、端子台２０６を持つ。そして、赤色発光ダイオード２２１、赤色発光ダイオード２２２、赤色発光ダイオード２２３、赤色発光ダイオード２２４、赤色発光ダイオード２２５、赤色発光ダイオード２２６を持つ。そして、抵抗器２３１、抵抗器２３２、抵抗器２３３、抵抗器２３４、抵抗器２３５、抵抗器２３６を持つ。
【０１１２】
そして、第七の機械式リレー２５１、端子台２４１、緑色発光ダイオード２６１、抵抗器２７１を持つ。
【０１１３】
第一の機械式リレー２１１は、マイクロプロセッサ２９１による制御信号によりコントロールされ、２系統の連動する出力をする。その出力の一つは、外部接続可能な第一のノード５０１、外部接続可能な第二のノード５０２に接続され、端子台２０１に接続される。その出力のもう一つは、赤色発光ダイオード２２１、抵抗器２３１に接続される。第一の機械式リレー２１１は、マイクロプロセッサ２９１による制御信号Ｈ（ハイ）が入力されると、外部接続可能な第一のノード５０１、外部接続可能な第二のノード５０２を短絡し、また、赤色発光ダイオード２２１、抵抗器２３１に電流を流すことにより赤色発光ダイオード２２１を発光させる。第一の機械式リレー２１１は、マイクロプロセッサ２９１による制御信号Ｌ（ロー）が入力されると、外部接続可能な第一のノード５０１、外部接続可能な第二のノード５０２を開放（非接続）し、また、赤色発光ダイオード２２１、抵抗器２３１に電流を流さず赤色発光ダイオード２２１を発光させない。赤色発光ダイオード２２１を視認できるほど明るく発光させ、かつ赤色発光ダイオード２２１の寿命を十分確保するため、抵抗器２３１は適切な抵抗値、例えば２００Ω（オーム）を持つ。第一の機械式リレー２１１には、ＶＳＳ２９２も接続される。
【０１１４】
同様に、第二の機械式リレー２１２は、マイクロプロセッサ２９１による制御信号によりコントロールされ、２系統の連動する出力をする。その出力の一つは、外部接続可能な第三のノード５０３、外部接続可能な第四のノード５０４に接続され、端子台２０２に接続される。その出力のもう一つは、赤色発光ダイオード２２２、抵抗器２３２に接続される。第二の機械式リレー２１２は、マイクロプロセッサ２９１による制御信号Ｈ（ハイ）が入力されると、外部接続可能な第三のノード５０３、外部接続可能な第四のノード５０４を短絡し、また、赤色発光ダイオード２２２、抵抗器２３２に電流を流すことにより赤色発光ダイオード２２２を発光させる。第二の機械式リレー２１２は、マイクロプロセッサ２９１による制御信号Ｌ（ロー）が入力されると、外部接続可能な第三のノード５０３、外部接続可能な第四のノード５０４を開放（非接続）し、また、赤色発光ダイオード２２２、抵抗器２３２に電流を流さず赤色発光ダイオード２２２を発光させない。赤色発光ダイオード２２２を視認できるほど明るく発光させ、かつ赤色発光ダイオード２２２の寿命を十分確保するため、抵抗器２３２は適切な抵抗値、例えば２００Ω（オーム）を持つ。第二の機械式リレー２１２には、ＶＳＳ２９２も接続される。
【０１１５】
同様に、第三の機械式リレー２１３は、マイクロプロセッサ２９１による制御信号によりコントロールされ、２系統の連動する出力をする。その出力の一つは、外部接続可能な第五のノード５０５、外部接続可能な第六のノード５０６に接続され、端子台２０３に接続される。その出力のもう一つは、赤色発光ダイオード２２３、抵抗器２３３に接続される。第三の機械式リレー２１３は、マイクロプロセッサ２９１による制御信号Ｈ（ハイ）が入力されると、外部接続可能な第五のノード５０５、外部接続可能な第六のノード５０６を短絡し、また、赤色発光ダイオード２２３、抵抗器２３３に電流を流すことにより赤色発光ダイオード２２３を発光させる。第三の機械式リレー２１３は、マイクロプロセッサ２９１による制御信号Ｌ（ロー）が入力されると、外部接続可能な第五のノード５０５、外部接続可能な第六のノード５０６を開放（非接続）し、また、赤色発光ダイオード２２３、抵抗器２３３に電流を流さず赤色発光ダイオード２２３を発光させない。赤色発光ダイオード２２３を視認できるほど明るく発光させ、かつ赤色発光ダイオード２２３の寿命を十分確保するため、抵抗器２３３は適切な抵抗値、例えば２００Ω（オーム）を持つ。第三の機械式リレー２１３には、ＶＳＳ２９２も接続される。
【０１１６】
同様に、第四の機械式リレー２１４は、マイクロプロセッサ２９１による制御信号によりコントロールされ、２系統の連動する出力をする。その出力の一つは、外部接続可能な第七のノード５０７、外部接続可能な第八のノード５０８に接続され、端子台２０４に接続される。その出力のもう一つは、赤色発光ダイオード２２４、抵抗器２３４に接続される。第四の機械式リレー２１４は、マイクロプロセッサ２９１による制御信号Ｈ（ハイ）が入力されると、外部接続可能な第七のノード５０７、外部接続可能な第八のノード５０８を短絡し、また、赤色発光ダイオード２２４、抵抗器２３４に電流を流すことにより赤色発光ダイオード２２４を発光させる。第四の機械式リレー２１４は、マイクロプロセッサ２９１による制御信号Ｌ（ロー）が入力されると、外部接続可能な第七のノード５０７、外部接続可能な第八のノード５０８を開放（非接続）し、また、赤色発光ダイオード２２４、抵抗器２３４に電流を流さず赤色発光ダイオード２２４を発光させない。赤色発光ダイオード２２４を視認できるほど明るく発光させ、かつ赤色発光ダイオード２２４の寿命を十分確保するため、抵抗器２３４は適切な抵抗値、例えば２００Ω（オーム）を持つ。第四の機械式リレー２１４には、ＶＳＳ２９２も接続される。
【０１１７】
同様に、第五の機械式リレー２１５は、マイクロプロセッサ２９１による制御信号によりコントロールされ、２系統の連動する出力をする。その出力の一つは、外部接続可能な第九のノード５０９、外部接続可能な第十のノード５１０に接続され、端子台２０５に接続される。その出力のもう一つは、赤色発光ダイオード２２５、抵抗器２３５に接続される。第五の機械式リレー２１５は、マイクロプロセッサ２９１による制御信号Ｈ（ハイ）が入力されると、外部接続可能な第九のノード５０９、外部接続可能な第十のノード５１０を短絡し、また、赤色発光ダイオード２２５、抵抗器２３５に電流を流すことにより赤色発光ダイオード２２５を発光させる。第五の機械式リレー２１５は、マイクロプロセッサ２９１による制御信号Ｌ（ロー）が入力されると、外部接続可能な第九のノード５０９、外部接続可能な第十のノード５１０を開放（非接続）し、また、赤色発光ダイオード２２５、抵抗器２３５に電流を流さず赤色発光ダイオード２２５を発光させない。赤色発光ダイオード２２５を視認できるほど明るく発光させ、かつ赤色発光ダイオード２２５の寿命を十分確保するため、抵抗器２３５は適切な抵抗値、例えば２００Ω（オーム）を持つ。第五の機械式リレー２１５には、ＶＳＳ２９２も接続される。
【０１１８】
同様に、第六の機械式リレー２１６は、マイクロプロセッサ２９１による制御信号によりコントロールされ、２系統の連動する出力をする。その出力の一つは、外部接続可能な第十一のノード５１１、外部接続可能な第十二のノード５１２に接続され、端子台２０６に接続される。その出力のもう一つは、赤色発光ダイオード２２６、抵抗器２３６に接続される。第六の機械式リレー２１６は、マイクロプロセッサ２９１による制御信号Ｈ（ハイ）が入力されると、外部接続可能な第十一のノード５１１、外部接続可能な第十二のノード５１２を短絡し、また、赤色発光ダイオード２２６、抵抗器２３６に電流を流すことにより赤色発光ダイオード２２６を発光させる。第六の機械式リレー２１６は、マイクロプロセッサ２９１による制御信号Ｌ（ロー）が入力されると、外部接続可能な第十一のノード５１１、外部接続可能な第十二のノード５１２を開放（非接続）し、また、赤色発光ダイオード２２６、抵抗器２３６に電流を流さず赤色発光ダイオード２２６を発光させない。赤色発光ダイオード２２６を視認できるほど明るく発光させ、かつ赤色発光ダイオード２２６の寿命を十分確保するため、抵抗器２３６は適切な抵抗値、例えば２００Ω（オーム）を持つ。第六の機械式リレー２１６には、ＶＳＳ２９２も接続される。
【０１１９】
第七の機械式リレー２５１は、対象評価装置からの評価対象の装置または回路からの判定結果を、端子台２４１経由で受け取り、その結果によりコントロールされ、２系統の連動する出力をする。その出力の一つは、抵抗器２８１とマイクロプロセッサ２９１に接続される。その出力のもう一つは、緑色発光ダイオード２６１、抵抗器２７１に接続される。対象評価装置からの評価対象の装置または回路からの判定結果がＨ（ハイ）である場合すなわち端子台２４１の２端子間に十分な電圧差がある場合、抵抗器２８１に電流が流れ、その結果マイクロプロセッサ２９１にＨ（ハイ）の信号が入力される。また、緑色発光ダイオード２６１、抵抗器２７１に電流を流すことにより緑色発光ダイオード２６１を発光させる。対象評価装置からの評価対象の装置または回路からの判定結果がＬ（ロー）である場合すなわち端子台２４１の２端子間に十分な電圧差がない場合、抵抗器２８１に電流が流れず、その結果マイクロプロセッサ２９１にＬ（ロー）の信号が入力される。また、緑色発光ダイオード２６１、抵抗器２７１に電流を流さないことにより緑色発光ダイオード２６１を発光させない。緑色発光ダイオード２６１を視認できるほど明るく発光させ、かつ緑色発光ダイオード２６１の寿命を十分確保するため、抵抗器２７１は適切な抵抗値、例えば２００Ω（オーム）を持つ。
【０１２０】
マイクロプロセッサ２９１は、プログラミングメモリとランダムアクセスメモリを有する。プログラミングメモリまたはランダムアクセスメモリの一部には、前記第一の入力信号および前記第二の入力信号および前記第三の入力信号および前記第五の入力信号および前記第六の入力信号のオン・オフの組み合わせを第一の電圧パラメータの順番に並べた情報が記録され、マイクロプロセッサは、第一の入力信号および第二の入力信号および第三の入力信号および第四の入力信号および第五の入力信号および第六の入力信号のオン・オフの組み合わせを出力することができ、マイクロプロセッサは、評価対象の装置または回路から第一の判定結果を受け取り、マイクロプロセッサは、第一の方法により、前記判定結果が変化する境界の、第一の入力信号および第二の入力信号および第三の入力信号および第四の入力信号および第五の入力信号および第六の入力信号のオン・オフの組み合わせを出力する。
【０１２１】
第一の方法は、第一のパラメータに依存する判定結果が第一の結果となる、第一のパラメータに依存する判定結果が変化する境界の、第一の入力信号および第二の入力信号および第三の入力信号および第四の入力信号および第五の入力信号および前記第六の入力信号のオン・オフの組み合わせのうち、前記第一の電圧パラメータが最小または最大となる、第一の入力信号および第二の入力信号および第三の入力信号および第四の入力信号および第五の入力信号および第六の入力信号のオン・オフの組み合わせを、出力することによるものである。
【０１２２】
２１１、２１２、２１３、２１４、２１５、２１６、２５１に機械式リレーを用いているが、電界効果トランジスタではなく機械式リレーを用いることはオフ時の抵抗をＧΩ（ギガオーム）オーダー以上にするという意味において重要である。電界効果トランジスタでは、オフ時の抵抗をＭΩ（メガオーム）程度までにしかできないことが多く、過充電保護装置の実施の形態の過電圧基本判定回路２１の各ノード間の解放状態に影響を与えてしまう。過電圧基本判定回路２１は、小さな電流の影響も受けてしまうのである。
【０１２３】
次に、マイクロプロセッサ２９１の工程を説明する。図１０に、マイクロプロセッサ２９１の工程を示す。
【０１２４】
マイクロプロセッサ２９１は、事前処理３０１、ランダムアクセスメモリに第一の電圧パラメータである期待判定電圧第一の電圧パラメータである期待判定電圧である第一の電圧パラメータである期待判定電圧の順序データを設定する工程３０２、変数iに0を代入する工程３０３、変数targetに64を代入する工程３０４を行う。事前処理としては、不揮発性メモリに記録された前回の出力結果を読み出し表示する等の処理を行ってもよい。簡易的には事前処理３０１はなくともよい。ランダムアクセスメモリに第一の電圧パラメータである期待判定電圧の順序データを設定する工程３０２で用意するデータに関しては、後ほど説明する。その後、変数iが64未満かどうか判定する工程により64未満であれば工程３０６に進み、64未満でない場合工程３１０に進む。
【０１２５】
工程３０６では、変数i番目の、第一の機械式リレー２１１、第二の機械式リレー２１２、第三の機械式リレー２１３、第四の機械式リレー２１４、第五の機械式リレー２１５、第六の機械式リレー２１６を制御するための信号を出力する。ここで、これらの信号により、ノード５０１とノード５０２、ノード５０３とノード５０４、ノード５０５とノード５０６、ノード５０７とノード５０８、ノード５０９とノード５１０、ノード５１１とノード５１２が短絡または解放される。また、赤色発光ダイオード２２１、２２２、２２３、２２４、２２５、２２６が点灯または消灯する。
【０１２６】
図１０では省略しているが、評価対象の装置または回路からの判定結果を待つため、ここで数秒待つとよい。その後、対象評価装置からの評価対象の装置または回路からの判定結果を、端子台２４１経由で受け取り、第七の機械式リレー２５１、抵抗器２８１経由で受け取る、評価対象の装置または回路からの判定結果が、L（ロー）である場合、工程３０８に進み、H（ハイ）である場合工程３０８をとばし工程３０９に進む。工程３０８では、変数targetに変数iを代入することにより更新する。その後工程３０９に進み、変数iに１を加算する。
【０１２７】
工程３０５から３０９により、２の６乗である６４通りの、第一の機械式リレー２１１、第二の機械式リレー２１２、第三の機械式リレー２１３、第四の機械式リレー２１４、第五の機械式リレー２１５、第六の機械式リレー２１６を制御するための信号の組み合わせそれぞれに対し、信号の組み合わせを出力し、一定時間待ったうえで第七の機械式リレー２５１、抵抗器２８１経由で評価対象の装置または回路からの判定結果を受け取り、評価対象の装置または回路からの判定結果がLであった場合に変数targetを更新する。
【０１２８】
最後に、工程３１０では、変数target番目の機械式リレーへの出力データを出力し、工程３１１で事後処理を行い、終了する。変数target番目の機械式リレーへの出力データを出力する工程３１０では、赤色発光ダイオード２２１、赤色発光ダイオード２２２、赤色発光ダイオード２２３、赤色発光ダイオード２２４、赤色発光ダイオード２２５、赤色発光ダイオード２２６の発光により、第一の機械式リレー２１１、第二の機械式リレー２１２、第三の機械式リレー２１３、第四の機械式リレー２１４、第五の機械式リレー２１５、第六の機械式リレー２１６の状態を視認できる。これら発光ダイオードの発光が本条件検出装置の出力結果でありこの出力結果によりにより、スイッチ１２４−１〜６（過充電保護装置の実施の形態および図２参照）をどのように設定すればよいかを判断できる。事後処理３１１の工程では、本条件検出装置の出力結果である変数target番目の機械式リレーへの出力データや変数target等を不揮発性メモリに記録する等の処理を行ってもよい。簡易的には事後処理３１１の工程はなくてもよい。
【０１２９】
このような評価対象の装置または回路からの判定結果がLであった場合に変数targetを更新する工程により、最後に評価対象の装置または回路からの判定結果がLだったときの変数iが変数targetとなる。その結果（変数target番目の機械式リレーへの出力）を最後に出力するので、評価対象の装置または回路からの判定結果がLとなる最も第一の電圧パラメータである期待判定電圧が最も高い出力が結果となる。
【０１３０】
ランダムアクセスメモリに第一の電圧パラメータである期待判定電圧の順序データを設定する工程３０２で用意するデータについて説明する。用意するデータの例を図１１、図１２に説明する。
【０１３１】
まず、第一の電圧パラメータである期待判定電圧に関して説明する。第一の電圧パラメータである期待判定電圧は、図８に示したもので、評価対象装置の代表機で実測した過充電防止回路の実施の形態の過電圧保護装置の過電圧判定電圧である。評価対象装置の代表機で実測した過充電防止回路の実施の形態の過電圧保護装置の過電圧判定電圧を、期待判定電圧と呼ぶことにする。図１１、図１２では、期待判定電圧という用語を用いている。評価対象装置の代表機でスイッチごとの過電圧判定電圧を直流電源装置等を用いて計測評価しておく。そして、評価対象装置の代表機で実測した過充電防止回路の実施の形態の過電圧保護装置の過電圧判定電圧、すなわち第一の電圧パラメータである期待判定電圧を用いて、大量の評価対象の過電圧保護装置の過電圧判定電圧を最適に設定するためのスイッチ群（スイッチ１２４−１、スイッチ１２４−２、スイッチ１２４−３、スイッチ１２４−４、スイッチ１２４−５、スイッチ１２４−６）の設定を検出し、大量の評価対象の過電圧保護装置の過電圧判定電圧を設定できるようにする。
【０１３２】
ランダムアクセスメモリに第一の電圧パラメータである期待判定電圧の順序データを設定する工程３０２で用意するデータは、スイッチ群の組み合わせと第一の電圧パラメータである期待判定電圧の対応関係を用いて、スイッチ群の組み合わせを第一の電圧パラメータである期待判定電圧の小さい順に並び替えた情報を用意する。あらかじめわかっていて個別の評価対象の過電圧保護装置ごとに生成する必要のないこの情報を、プログラムに設定しておき、ランダムアクセスメモリに第一の電圧パラメータである期待判定電圧の順序データを設定する工程３０２でランダムメモリに読み込む。あるいは、不揮発性メモリにあらかじめ書いてある機械式リレーへの出力データを、ランダムアクセスメモリに第一の電圧パラメータである期待判定電圧の順序データを設定する工程３０２でランダムメモリに読み込む。
【０１３３】
以上説明した条件検出方法でどのように最適なスイッチの設定が決定されるか、例示する。評価対象の装置または回路から第一の評価対象の装置または回路からの判定結果の例を図１３に示す。この図１３の例は、個別の評価対象の過電圧保護装置ごとに変わりうる一例である。図１３の結果は、第一の電圧パラメータである期待判定電圧、第一の電圧パラメータである期待判定電圧順に並べた結果に対する評価対象の装置または回路からの判定結果のため、理想的には、あるところまではHとなり、その後Lとなる。しかし、図２の発光ダイオード１１１−１〜１４の閾値のばらつきよる個体差により、あるところまではHとなるが、その後一度Lとなり、さらにその後一度Hとなり、その後Lとなることなどがある。
【０１３４】
マイクロプロセッサ２９１は、事前処理３０１、ランダムアクセスメモリに第一の電圧パラメータである期待判定電圧の順序データを設定する工程３０２、変数iに0を代入する工程３０３、変数targetに64を代入する工程３０４を行う。事前処理としては、不揮発性メモリに記録された前回の出力結果を読み出し表示する等の処理を行ってもよい。簡易的には事前処理３０１はなくともよい。ランダムアクセスメモリに第一の電圧パラメータである期待判定電圧の順序データを設定する工程３０２で、図１１、図１２の番号とSW出力の関係を、ランダムアクセスメモリに読み込む。その後、変数iが64未満かどうか判定する工程３０５により変数iは0なので、工程３０６に進む。
【０１３５】
その後、工程３０６により、0番目の機械式リレーへの出力データである６０を出力する。出力６０は、各スイッチ向けの出力でいうと、SW1=ON、SW2=ON、SW3=ON、SW4=ON、SW5=OFF、SW6=OFFである。以降省略するが、各スイッチ向けの出力への変換は、２進数変換しているだけである。この結果に基づき、図９における機械式リレー２１１がオンし、機械式リレー２１２がオンし、機械式リレー２１３がオンし、機械式リレー２１４がオンし、機械式リレー２１５がオフし、機械式リレー２１６がオフする。その結果、ノード５０１とノード５０２が短絡し、ノード５０３とノード５０４が短絡し、ノード５０５とノード５０６が短絡し、ノード５０７とノード５０８が短絡し、ノード５０９とノード５１０が短絡せず、ノード５１１とノード５１２が短絡しない。赤色発光ダイオード２２１は発光し、赤色発光ダイオード２２２は発光し、赤色発光ダイオード２２３は発光し、赤色発光ダイオード２２４は発光し、赤色発光ダイオード２２１は発光せず、赤色発光ダイオード２２１は発光しない。その後数秒待つ。
【０１３６】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０１３７】
工程３０７では評価対象の装置または回路からの判定結果はHなので、工程３０８に進む。工程３０８では、変数targetに変数iである0が代入される。工程３０９では、変数iに1が加算され1となる。次に工程３０５に進む。その後、変数iが64未満かどうか判定する工程３０５により変数iは1なので、工程３０６に進む。
【０１３８】
その後、工程３０６により、1番目の機械式リレーへの出力データである６１を出力する。出力６１は、各スイッチの向けの出力でいうと、SW1=ON、SW2=ON、SW3=ON、SW4=ON、SW5=OFF、SW6=ONである。この結果に基づき、図９における機械式リレー２１１がオンし、機械式リレー２１２がオンし、機械式リレー２１３がオンし、機械式リレー２１４がオンし、機械式リレー２１５がオフし、機械式リレー２１６がオンする。その結果、ノード５０１とノード５０２が短絡し、ノード５０３とノード５０４が短絡し、ノード５０５とノード５０６が短絡し、ノード５０７とノード５０８が短絡し、ノード５０９とノード５１０が短絡せず、ノード５１１とノード５１２が短絡する。赤色発光ダイオード２２１は発光し、赤色発光ダイオード２２２は発光し、赤色発光ダイオード２２３は発光し、赤色発光ダイオード２２４は発光し、赤色発光ダイオード２２５は発光せず、赤色発光ダイオード２２６は発光する。その後数秒待つ。
【０１３９】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０１４０】
工程３０７では評価対象の装置または回路からの判定結果はHなので、工程３０８に進む。工程３０８では、変数targetに変数iである1が代入される。工程３０９では、変数iに1が加算され2となる。次に工程３０５に進む。その後、変数iが64未満かどうか判定する工程３０５により変数iは2なので、工程３０６に進む。
【０１４１】
このように、工程３０５、３０６、３０７、３０８、３０９を、判定結果Lを受け取る、変数iが13になるまで繰り返し、工程３０６に進む。この間、変数targetは更新され続ける。
【０１４２】
工程３０６により、13番目の機械式リレーへの出力データである４４を出力する。出力４４は、各スイッチの向けの出力でいうと、SW1=ON、SW2=OFF、SW3=ON、SW4=ON、SW5=OFF、SW6=OFFである。この結果に基づき、図９における機械式リレー２１１がオンし、機械式リレー２１２がオフし、機械式リレー２１３がオンし、機械式リレー２１４がオンし、機械式リレー２１５がオフし、機械式リレー２１６がオフする。その結果、ノード５０１とノード５０２が短絡し、ノード５０３とノード５０４が短絡せず、ノード５０５とノード５０６が短絡し、ノード５０７とノード５０８が短絡し、ノード５０９とノード５１０が短絡せず、ノード５１１とノード５１２が短絡しない。赤色発光ダイオード２２１は発光し、赤色発光ダイオード２２２は発光せず、赤色発光ダイオード２２３は発光し、赤色発光ダイオード２２４は発光し、赤色発光ダイオード２２５は発光せず、赤色発光ダイオード２２６は発光しない。その後数秒待つ。
【０１４３】
その結果、評価対象の装置または回路は、図１３に示した通り、第一の評価対象の装置または回路からの判定結果Lを返す。その結果、機械式リレー２５１はオフする。その結果、マイクロプロセッサ２９１は信号Lを受け取る。また、緑色発光ダイオード２６１は発光しない。
【０１４４】
工程３０７では評価対象の装置または回路からの判定結果はLなので、工程３０８を飛ばして工程３０９に進む。変数targetは更新されない。工程３０９では、変数iに1が加算され14となる。次に工程３０５に進む。その後、変数iが64未満かどうか判定する工程３０５により変数iは14なので、工程３０６に進む。
【０１４５】
工程３０６により、14番目の機械式リレーへの出力データである４９を出力する。出力４９は、各スイッチの向けの出力でいうと、SW1=ON、SW2=ON、SW3=OFF、SW4=OFF、SW5=OFF、SW6=ONである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオンする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡する。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光する。その後数秒待つ。
【０１４６】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０１４７】
工程３０７では評価対象の装置または回路からの判定結果はHなので、工程３０８に進む。工程３０８では、変数targetに変数iである14が代入される。工程３０９では、変数iに1が加算され15となる。次に工程３０５に進む。その後、変数iが64未満かどうか判定する工程３０５により変数iは15なので、工程３０６に進む。
【０１４８】
工程３０６により、15番目の機械式リレーへの出力データである４５を出力する。出力４５は、各スイッチの向けの出力でいうと、SW1=ON、SW2=OFF、SW3=ON、SW4=ON、SW5=OFF、SW6=ONである。この結果に基づき、図９における機械式リレー２１１がオンし、機械式リレー２１２がオフし、機械式リレー２１３がオンし、機械式リレー２１４がオンし、機械式リレー２１５がオフし、機械式リレー２１６がオンする。その結果、ノード５０１とノード５０２が短絡し、ノード５０３とノード５０４が短絡せず、ノード５０５とノード５０６が短絡し、ノード５０７とノード５０８が短絡し、ノード５０９とノード５１０が短絡せず、ノード５１１とノード５１２が短絡する。赤色発光ダイオード２２１は発光し、赤色発光ダイオード２２２は発光せず、赤色発光ダイオード２２３は発光し、赤色発光ダイオード２２４は発光し、赤色発光ダイオード２２５は発光せず、赤色発光ダイオード２２６は発光する。その後数秒待つ。
【０１４９】
その結果、評価対象の装置または回路は、図１３に示した通り、第一の評価対象の装置または回路からの判定結果Lを返す。その結果、機械式リレー２５１はオフする。その結果、マイクロプロセッサ２９１は信号Lを受け取る。また、緑色発光ダイオード２６１は発光しない。
【０１５０】
工程３０７では評価対象の装置または回路からの判定結果はLなので、工程３０８を飛ばして工程３０９に進む。変数targetは更新されない。工程３０９では、変数iに1が加算され16となる。次に工程３０５に進む。その後、変数iが64未満かどうか判定する工程３０５により変数iは16なので、工程３０６に進む。
【０１５１】
このように、工程３０５、３０６、３０７、３０９を、変数iが64になるまで繰り返し、工程３０５に進む。この間、変数targetは更新されない。その後、変数iが64未満かどうか判定する工程３０５により変数iは64なので、工程３１０に進む。
【０１５２】
工程３１０では、変数target番目の機械式リレーへの出力データつまり14番目の機械式リレーへの出力データつまり４９を出力する。出力４９は、各スイッチの向けの出力でいうと、SW1=ON、SW2=ON、SW3=OFF、SW4=OFF、SW5=OFF、SW6=ONである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオンする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡する。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光する。その後数秒待つ。
【０１５３】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０１５４】
工程３１１で事後処理を行い、終了する。
【０１５５】
最終状態で、赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光するのを見て、SW1=ON、SW2=ON、SW3=OFF、SW4=OFF、SW5=OFF、SW6=ONが得られた結果であること結論付けられる。また、この結果を、工程３１１の事後処理で、不揮発性メモリに記録することもできる。
【０１５６】
途中の状態では、赤色発光ダイオード２２１〜２２６の発光状態で、現在どのような状態を評価しているか視認できる。また、緑色発光ダイオード２６１で、評価対象の装置または回路からの評価対象の装置または回路からの判定結果を視認できる。
【０１５７】
２１１、２１２、２１３、２１４、２１５、２１６に機械式リレーを用いること、工程３０２で第一の電圧パラメータである期待判定電圧の順序データを設定することは、第１の実施の形態における非常に重要な特徴である。第１の実施の形態は、６つのスイッチの設定を検出する例を開示したが、６つである必要はなく、検出するスイッチの設定の数は、請求項に記述する範囲が権利の対象となると解釈すべきである。
【０１５８】
第１の実施の形態により、測定評価に人間が要する時間を減らし、コストを削減することができる条件検出装置を提供する。
【０１５９】
［第２の実施の形態］
第２の実施の形態は、適切な過電圧判定電圧にするための設定を検出するための条件検出装置に関する。過電圧保護装置の実施の形態で説明した過充電保護装置などのスイッチの条件検出を目的とする。第２の実施の形態の条件検出装置に関し、装置の回路、回路の中のマイクロプロセッサの動作フローチャート、判定の工程例の順に説明する。第１の実施の形態は、条件検出装置を図１４に示す。
【０１６０】
第１の実施の形態の条件検出装置には、外部接続可能な第一のノード５０１、外部接続可能な第二のノード５０２、外部接続可能な第三のノード５０３、外部接続可能な第四のノード５０４、外部接続可能な第五のノード５０５、外部接続可能な第六のノード５０６、外部接続可能な第七のノード５０７、外部接続可能な第八のノード５０８、外部接続可能な第九のノード５０９、外部接続可能な第十のノード５１０、外部接続可能な第十一のノード５１１、外部接続可能な第十二のノード５１２がある。
【０１６１】
第１の実施の形態の条件検出装置は、第一の機械式リレー２１１、第二の機械式リレー２１２、第三の機械式リレー２１３、第四の機械式リレー２１４、第五の機械式リレー２１５、第六の機械式リレー２１６、マイクロプロセッサ２９１を持つ。そして、端子台２０７、端子台２０８を持つ。そして、赤色発光ダイオード２２１、赤色発光ダイオード２２２、赤色発光ダイオード２２３、赤色発光ダイオード２２４、赤色発光ダイオード２２５、赤色発光ダイオード２２６を持つ。そして、抵抗器２３１、抵抗器２３２、抵抗器２３３、抵抗器２３４、抵抗器２３５、抵抗器２３６を持つ。
【０１６２】
そして、第七の機械式リレー２５１、端子台２４１、緑色発光ダイオード２６１、抵抗器２７１を持つ。
【０１６３】
外部接続可能な第二のノード５０２と外部接続可能な第三のノード５０３は短絡されている。外部接続可能な第四のノード５０４と外部接続可能な第五のノード５０５は短絡されている。外部接続可能な第六のノード５０６と外部接続可能な第七のノード５０７は短絡されている。外部接続可能な第十のノード５１０と外部接続可能な第十一のノード５１１は短絡されている。一方、外部接続可能な第八のノード５０８と外部接続可能な第九のノード５０３は短絡されていない。
【０１６４】
第一の機械式リレー２１１は、マイクロプロセッサ２９１による制御信号によりコントロールされ、２系統の連動する出力をする。その出力の一つは、外部接続可能な第一のノード５０１、外部接続可能な第二のノード５０２に接続され、端子台２０７に接続される。その出力のもう一つは、赤色発光ダイオード２２１、抵抗器２３１に接続される。第一の機械式リレー２１１は、マイクロプロセッサ２９１による制御信号Ｈ（ハイ）が入力されると、外部接続可能な第一のノード５０１、外部接続可能な第二のノード５０２を短絡し、また、赤色発光ダイオード２２１、抵抗器２３１に電流を流すことにより赤色発光ダイオード２２１を発光させる。第一の機械式リレー２１１は、マイクロプロセッサ２９１による制御信号Ｌ（ロー）が入力されると、外部接続可能な第一のノード５０１、外部接続可能な第二のノード５０２を開放（非接続）し、また、赤色発光ダイオード２２１、抵抗器２３１に電流を流さず赤色発光ダイオード２２１を発光させない。赤色発光ダイオード２２１を視認できるほど明るく発光させ、かつ赤色発光ダイオード２２１の寿命を十分確保するため、抵抗器２３１は適切な抵抗値、例えば２００Ω（オーム）を持つ。第一の機械式リレー２１１には、ＶＳＳ２９２も接続される。
【０１６５】
同様に、第二の機械式リレー２１２は、マイクロプロセッサ２９１による制御信号によりコントロールされ、２系統の連動する出力をする。その出力の一つは、外部接続可能な第三のノード５０３、外部接続可能な第四のノード５０４に接続され、端子台２０７に接続される。その出力のもう一つは、赤色発光ダイオード２２２、抵抗器２３２に接続される。第二の機械式リレー２１２は、マイクロプロセッサ２９１による制御信号Ｈ（ハイ）が入力されると、外部接続可能な第三のノード５０３、外部接続可能な第四のノード５０４を短絡し、また、赤色発光ダイオード２２２、抵抗器２３２に電流を流すことにより赤色発光ダイオード２２２を発光させる。第二の機械式リレー２１２は、マイクロプロセッサ２９１による制御信号Ｌ（ロー）が入力されると、外部接続可能な第三のノード５０３、外部接続可能な第四のノード５０４を開放（非接続）し、また、赤色発光ダイオード２２２、抵抗器２３２に電流を流さず赤色発光ダイオード２２２を発光させない。赤色発光ダイオード２２２を視認できるほど明るく発光させ、かつ赤色発光ダイオード２２２の寿命を十分確保するため、抵抗器２３２は適切な抵抗値、例えば２００Ω（オーム）を持つ。第二の機械式リレー２１２には、ＶＳＳ２９２も接続される。
【０１６６】
同様に、第三の機械式リレー２１３は、マイクロプロセッサ２９１による制御信号によりコントロールされ、２系統の連動する出力をする。その出力の一つは、外部接続可能な第五のノード５０５、外部接続可能な第六のノード５０６に接続され、端子台２０７に接続される。その出力のもう一つは、赤色発光ダイオード２２３、抵抗器２３３に接続される。第三の機械式リレー２１３は、マイクロプロセッサ２９１による制御信号Ｈ（ハイ）が入力されると、外部接続可能な第五のノード５０５、外部接続可能な第六のノード５０６を短絡し、また、赤色発光ダイオード２２３、抵抗器２３３に電流を流すことにより赤色発光ダイオード２２３を発光させる。第三の機械式リレー２１３は、マイクロプロセッサ２９１による制御信号Ｌ（ロー）が入力されると、外部接続可能な第五のノード５０５、外部接続可能な第六のノード５０６を開放（非接続）し、また、赤色発光ダイオード２２３、抵抗器２３３に電流を流さず赤色発光ダイオード２２３を発光させない。赤色発光ダイオード２２３を視認できるほど明るく発光させ、かつ赤色発光ダイオード２２３の寿命を十分確保するため、抵抗器２３３は適切な抵抗値、例えば２００Ω（オーム）を持つ。第三の機械式リレー２１３には、ＶＳＳ２９２も接続される。
【０１６７】
同様に、第四の機械式リレー２１４は、マイクロプロセッサ２９１による制御信号によりコントロールされ、２系統の連動する出力をする。その出力の一つは、外部接続可能な第七のノード５０７、外部接続可能な第八のノード５０８に接続され、端子台２０７に接続される。その出力のもう一つは、赤色発光ダイオード２２４、抵抗器２３４に接続される。第四の機械式リレー２１４は、マイクロプロセッサ２９１による制御信号Ｈ（ハイ）が入力されると、外部接続可能な第七のノード５０７、外部接続可能な第八のノード５０８を短絡し、また、赤色発光ダイオード２２４、抵抗器２３４に電流を流すことにより赤色発光ダイオード２２４を発光させる。第四の機械式リレー２１４は、マイクロプロセッサ２９１による制御信号Ｌ（ロー）が入力されると、外部接続可能な第七のノード５０７、外部接続可能な第八のノード５０８を開放（非接続）し、また、赤色発光ダイオード２２４、抵抗器２３４に電流を流さず赤色発光ダイオード２２４を発光させない。赤色発光ダイオード２２４を視認できるほど明るく発光させ、かつ赤色発光ダイオード２２４の寿命を十分確保するため、抵抗器２３４は適切な抵抗値、例えば２００Ω（オーム）を持つ。第四の機械式リレー２１４には、ＶＳＳ２９２も接続される。
【０１６８】
同様に、第五の機械式リレー２１５は、マイクロプロセッサ２９１による制御信号によりコントロールされ、２系統の連動する出力をする。その出力の一つは、外部接続可能な第九のノード５０９、外部接続可能な第十のノード５１０に接続され、端子台２０８に接続される。その出力のもう一つは、赤色発光ダイオード２２５、抵抗器２３５に接続される。第五の機械式リレー２１５は、マイクロプロセッサ２９１による制御信号Ｈ（ハイ）が入力されると、外部接続可能な第九のノード５０９、外部接続可能な第十のノード５１０を短絡し、また、赤色発光ダイオード２２５、抵抗器２３５に電流を流すことにより赤色発光ダイオード２２５を発光させる。第五の機械式リレー２１５は、マイクロプロセッサ２９１による制御信号Ｌ（ロー）が入力されると、外部接続可能な第九のノード５０９、外部接続可能な第十のノード５１０を開放（非接続）し、また、赤色発光ダイオード２２５、抵抗器２３５に電流を流さず赤色発光ダイオード２２５を発光させない。赤色発光ダイオード２２５を視認できるほど明るく発光させ、かつ赤色発光ダイオード２２５の寿命を十分確保するため、抵抗器２３５は適切な抵抗値、例えば２００Ω（オーム）を持つ。第五の機械式リレー２１５には、ＶＳＳ２９２も接続される。
【０１６９】
同様に、第六の機械式リレー２１６は、マイクロプロセッサ２９１による制御信号によりコントロールされ、２系統の連動する出力をする。その出力の一つは、外部接続可能な第十一のノード５１１、外部接続可能な第十二のノード５１２に接続され、端子台２０８に接続される。その出力のもう一つは、赤色発光ダイオード２２６、抵抗器２３６に接続される。第六の機械式リレー２１６は、マイクロプロセッサ２９１による制御信号Ｈ（ハイ）が入力されると、外部接続可能な第十一のノード５１１、外部接続可能な第十二のノード５１２を短絡し、また、赤色発光ダイオード２２６、抵抗器２３６に電流を流すことにより赤色発光ダイオード２２６を発光させる。第六の機械式リレー２１６は、マイクロプロセッサ２９１による制御信号Ｌ（ロー）が入力されると、外部接続可能な第十一のノード５１１、外部接続可能な第十二のノード５１２を開放（非接続）し、また、赤色発光ダイオード２２６、抵抗器２３６に電流を流さず赤色発光ダイオード２２６を発光させない。赤色発光ダイオード２２６を視認できるほど明るく発光させ、かつ赤色発光ダイオード２２６の寿命を十分確保するため、抵抗器２３６は適切な抵抗値、例えば２００Ω（オーム）を持つ。第六の機械式リレー２１６には、ＶＳＳ２９２も接続される。
【０１７０】
第七の機械式リレー２５１は、対象評価装置からの評価対象の装置または回路からの判定結果を、端子台２４１経由で受け取り、その結果によりコントロールされ、２系統の連動する出力をする。その出力の一つは、抵抗器２８１とマイクロプロセッサ２９１に接続される。その出力のもう一つは、緑色発光ダイオード２６１、抵抗器２７１に接続される。評価対象の装置または回路からの判定結果がＨ（ハイ）である場合すなわち端子台２４１の２端子間に十分な電圧差がある場合、機械式リレー２５１がオンし、抵抗器２８１に電流が流れ、その結果マイクロプロセッサ２９１にＨ（ハイ）の信号が入力される。また、緑色発光ダイオード２７１、抵抗器２６１に電流を流すことにより緑色発光ダイオード２６１を発光させる。対象評価装置からの評価対象の装置または回路からの判定結果がＬ（ロー）である場合すなわち端子台２４１の２端子間に十分な電圧差がない場合、機械式リレー２５１がオフし、抵抗器２８１に電流が流れず、その結果マイクロプロセッサ２９１にＬ（ロー）の信号が入力される。また、緑色発光ダイオード２７１、抵抗器２６１に電流を流さないことにより緑色発光ダイオード２６１を発光させない。緑色発光ダイオード２６１を視認できるほど明るく発光させ、かつ緑色発光ダイオード２６１の寿命を十分確保するため、抵抗器２７１は適切な抵抗値、例えば２００Ω（オーム）を持つ。
【０１７１】
マイクロプロセッサは、プログラミングメモリとランダムアクセスメモリを有する。プログラミングメモリまたはランダムアクセスメモリの一部には、第一の入力信号および第二の入力信号および第三の入力信号および第四の入力信号および第五の入力信号および第六の入力信号のオン・オフの組み合わせを第一の電圧パラメータの順番に並べた情報が記録され、マイクロプロセッサは、第一の入力信号および第二の入力信号および第三の入力信号および第四の入力信号および第五の入力信号および第六の入力信号のオン・オフの組み合わせを出力することができ、マイクロプロセッサは、評価対象の装置または回路から第一の判定結果を受け取り、マイクロプロセッサは、第一の方法により、前記判定結果が変化する境界の、第一の入力信号および第二の入力信号および第三の入力信号および第四の入力信号および第五の入力信号および第六の入力信号のオン・オフの組み合わせを出力する。
【０１７２】
第一の方法は、第一のパラメータに依存する判定結果が第一の結果となる、第一のパラメータに依存する判定結果が変化する境界の、第一の入力信号および第二の入力信号および第三の入力信号および第四の入力信号および第五の入力信号および前記第六の入力信号のオン・オフの組み合わせのうち、前記第一の電圧パラメータが最小または最大となる、第一の入力信号および第二の入力信号および第三の入力信号および第四の入力信号および第五の入力信号および第六の入力信号のオン・オフの組み合わせを、出力することによるものである。
【０１７３】
２１１、２１２、２１３、２１４、２１５、２１６、２５１に機械式リレーを用いているが、電界効果トランジスタではなく機械式リレーを用いることはオフ時の抵抗をＧΩ（ギガオーム）オーダー以上にするという意味において重要である。電界効果トランジスタでは、オフ時の抵抗をＭΩ（メガオーム）程度までにしかできないことが多く、過充電保護装置の実施の形態の過電圧基本判定回路２１の各ノード間の解放状態に影響を与えてしまう。過電圧基本判定回路２１は、小さな電流の影響も受けてしまうのである。
【０１７４】
第六の実施の形態で説明するが、図２の回路に図１４の回路を接続するにあたり、いくつかのノードの組み合わせは短絡されるため、対象評価装置が決まっているなら、いくつかのノード同士をあらかじめ短絡しておいたほうが、図２と図１４を接続する配線数が少なくなり、手間が少なくなる。
【０１７５】
マイクロプロセッサ２９１の工程は、第１の実施の形態と同様である。
【０１７６】
第２の実施の形態は、６つのスイッチの設定を検出する例を開示したが、６つである必要はなく、検出するスイッチの設定の数は、請求項に記述する範囲が権利の対象となると解釈すべきである。
【０１７７】
第２の実施の形態により、測定評価に人間が要する時間を減らし、コストを削減することができ、配線の手間が少ない条件検出装置を提供する。
【０１７８】
［第３の実施の形態］
第３の実施の形態は、適切な過電圧判定電圧にするための設定を検出するための条件検出装置に関する。過電圧保護装置の実施の形態で説明した過電圧保護装置などのスイッチの条件検出を目的とする。装置の回路に関しては、第１の実施の形態と同様である。第３の実施の形態の条件検出装置に関し、回路の中のマイクロプロセッサの動作フローチャートを図１５に示す。
【０１７９】
判定結果が変化する境界の、第一の入力信号および第二の入力信号および第三の入力信号および第四の入力信号および第五の入力信号および第六の入力信号のオン・オフの組み合わせを出力する、第一の方法は、第一のパラメータに依存する判定結果が第二の結果となる、第一のパラメータに依存する判定結果が変化する境界の、第一の入力信号および第二の入力信号および第三の入力信号および第四の有力信号および第五の入力信号および第六の入力信号のオン・オフの組み合わせのうち、第一の電圧パラメータが最小または最大となる、第一の入力信号および第二の入力信号および第三の入力信号および第四の入力信号および第五の入力信号および第六の入力信号のオン・オフの組み合わせの隣の、第一の入力信号および第二の入力信号および第三の入力信号および第四の入力信号前および第五の入力信号および第六の入力信号のオン・オフの組み合わせを、出力することによるものである。
【０１８０】
マイクロプロセッサ２９１は、事前処理３２１、ランダムアクセスメモリに第一の電圧パラメータである期待判定電圧の順序データを設定する工程３２２、変数iに0を代入する工程３２３、変数targetに64を代入する工程３２４、変数is_firstに1を代入する工程を行う。事前処理としては、不揮発性メモリに記録された前回の出力結果を読み出し表示する等の処理を行ってもよい。簡易的には事前処理３２１はなくともよい。ランダムアクセスメモリに第一の電圧パラメータである期待判定電圧の順序データを設定する工程３２２で用意するデータに関しては、第１の実施の形態と同様であり、図１１、図１２に示した。その後、変数iが64未満かどうか判定する工程により64未満であれば工程３２７に進み、64未満でない場合工程３３４に進む。
【０１８１】
工程３２７では、変数i番目の、第一の機械式リレー２１１、第二の機械式リレー２１２、第三の機械式リレー２１３、第四の機械式リレー２１４、第五の機械式リレー２１５、第六の機械式リレー２１６を制御するための信号を出力する。ここで、これらの信号により、ノード５０１とノード５０２、ノード５０３とノード５０４、ノード５０５とノード５０６、ノード５０７とノード５０８、ノード５０９とノード５１０、ノード５１１とノード５１２が短絡または解放される。また、赤色発光ダイオード２２１、２２２、２２３、２２４、２２５、２２６が点灯または消灯する。
【０１８２】
図１５では省略しているが、評価対象の装置または回路からの判定結果を待つため、ここで数秒待つとよい。その後、対象評価装置からの評価対象の装置または回路からの判定結果を、端子台２４１経由で受け取り、第七の機械式リレー２５１、抵抗器２８１経由で受け取る。工程３２８にて、評価対象の装置または回路からの判定結果が、L（ロー）である場合、工程３２９に進み、評価対象の装置または回路からの判定結果が、H（ハイ）である場合、工程３３１に進む。工程３２９では、変数is_firstが1かつ、変数targetが64以外の場合、工程３３０に進む。変数is_firstが0または変数targetが64の場合、工程３３３に進む。工程３３０では、変数is_firstに0を代入する。工程３３１では、変数is_firstが1の場合工程３３２に進み、変数is_firstが0の場合、工程３３３に進む。工程３３２では、変数targetに変数iを代入（更新）する。工程３３３では、変数iに1を加算する。
【０１８３】
工程３２６から３３３により、２の６乗である６４通りの、第一の機械式リレー２１１、第二の機械式リレー２１２、第三の機械式リレー２１３、第四の機械式リレー２１４、第五の機械式リレー２１５、第六の機械式リレー２１６を制御するための信号の組み合わせそれぞれに対し、信号の組み合わせを出力し、一定時間待ったうえで第七の機械式リレー２５１、抵抗器２８１経由で評価対象の装置または回路からの判定結果を受け取る。評価対象の装置または回路からの判定結果がLかつ変数is_firstが1かつ変数targetが64以外のとき変数is_firstを0とする。そして、評価対象の装置または回路からの判定結果がHかつ変数is_firstが1であった場合に、変数is_firstを1にし、変数targetを更新する。
【０１８４】
こうすることにより、評価対象の装置または回路からの判定結果がHである間は、変数targetをiで更新し続け、評価対象の装置または回路からの判定結果がLとなると、変数is_firstが0となり、以降再び評価対象の装置または回路からの判定結果がHとなっても変数is_firstが0となっているため、変数targetは更新されない。評価対象の装置または回路からの判定結果がLであっても変数targetは更新されない。
【０１８５】
最後に、工程３３４では、変数target番目の機械式リレーへの出力データを出力し、工程３３５で事後処理を行い、終了する。変数target番目の機械式リレーへの出力データを出力する工程３３４では、赤色発光ダイオード２２１、赤色発光ダイオード２２２、赤色発光ダイオード２２３、赤色発光ダイオード２２４、赤色発光ダイオード２２５、赤色発光ダイオード２２６の発光により、第一の機械式リレー２１１、第二の機械式リレー２１２、第三の機械式リレー２１３、第四の機械式リレー２１４、第五の機械式リレー２１５、第六の機械式リレー２１６の状態を視認できる。これら発光ダイオードの発光が本条件検出装置の出力結果でありこの出力結果によりにより、スイッチ１２４−１〜６（過充電保護装置の実施の形態および図２参照）をどのように設定すればよいかを判断できる。事後処理３３５の工程では、本条件検出装置の出力結果である変数target番目の機械式リレーへの出力データや変数target等を不揮発性メモリに記録する等の処理を行ってもよい。簡易的には事後処理３３５の工程はなくてもよい。
【０１８６】
このような評価対象の装置または回路からの判定結果がHであった場合に変数targetを更新するが一度評価対象の装置または回路からの判定結果がLとなると更新されない工程により、評価対象の装置または回路からの判定結果が一度でもLとなる前の、最後の評価対象の装置または回路からの判定結果がHだったときの変数iが変数targetとなる。その結果（変数target番目の機械式リレーへの出力）を最後に出力するので、評価対象の装置または回路からの判定結果が最初にLとなる直前の第一の電圧パラメータである期待判定電圧が結果となる。
【０１８７】
ランダムアクセスメモリに第一の電圧パラメータである期待判定電圧の順序データを設定する工程３０２で用意するデータに関しては、第１の実施の形態の場合と同様である。用意するデータの例を図１１、図１２に示した。
【０１８８】
まず、第一の電圧パラメータである期待判定電圧に関して説明する。第一の電圧パラメータである期待判定電圧は、図８に示した通り、評価対象装置の代表機で実測した過電圧保護装置の実施の形態の過電圧保護装置の過電圧判定電圧である。評価対象装置の代表機で実測した過電圧保護装置の実施の形態の過電圧保護装置の過電圧判定電圧を、第一の電圧パラメータである期待判定電圧と呼ぶことにする。図１１、図１２では、期待判定電圧という用語を用いている。評価対象装置の代表機でスイッチごとの過電圧判定電圧を直流電源装置等を用いて計測評価しておく。そして、評価対象装置の代表機で実測した過電圧保護装置の実施の形態の過電圧保護装置の過電圧判定電圧、すなわち第一の電圧パラメータである期待判定電圧を用いて、大量の評価対象の過電圧保護装置の過電圧判定電圧を最適に設定するためのスイッチ群（スイッチ１２４−１、スイッチ１２４−２、スイッチ１２４−３、スイッチ１２４−４、スイッチ１２４−５、スイッチ１２４−６）の設定を検出し、大量の評価対象の過電圧保護装置の過電圧判定電圧を設定できるようにする。
【０１８９】
ランダムアクセスメモリに第一の電圧パラメータである期待判定電圧の順序データを設定する工程３０２で用意するデータは、スイッチ群の組み合わせと第一の電圧パラメータである期待判定電圧の対応関係を用いて、スイッチ群の組み合わせを第一の電圧パラメータである期待判定電圧の小さい順に並び替えた情報を用意する。あらかじめわかっていて個別の評価対象の過電圧保護装置ごとに生成する必要のないこの情報を、プログラムに設定しておき、ランダムアクセスメモリに第一の電圧パラメータである期待判定電圧の順序データを設定する工程３２２でランダムメモリに読み込む。あるいは、不揮発性メモリにあらかじめ書いてある機械式リレーへの出力データを読み込み、ランダムアクセスメモリに第一の電圧パラメータである期待判定電圧の順序データを設定する工程３２２でランダムメモリに読み込む。
【０１９０】
以上説明した条件検出方法でどのように最適なスイッチの設定が決定されるか、例示する。評価対象の装置または回路から第一の評価対象の装置または回路からの判定結果の例を図１３に示してある。この図１３の例は、個別の評価対象の過電圧保護装置ごとに変わりうる一例である。図１３の結果は、第一の電圧パラメータである期待判定電圧、第一の電圧パラメータである期待判定電圧順に並べた結果に対する、評価対象の装置または回路からの判定結果のため、理想的には、あるところまではHとなり、その後Lとなる。しかし、図２の発光ダイオード１１１−１〜１４の閾値のばらつきよる個体差により、あるところまではHとなるが、その後一度Lとなり、さらにその後一度Hとなり、その後Lとなることなどがある。
【０１９１】
マイクロプロセッサ２９１は、事前処理３２１、ランダムアクセスメモリに第一の電圧パラメータである期待判定電圧の順序データを設定する工程３２２、変数iに0を代入する工程３２３、変数targetに64を代入する工程３２４、変数is_firstに１を代入する工程３２５を行う。事前処理としては、不揮発性メモリに記録された前回の出力結果を読み出し表示する等の処理を行ってもよい。簡易的には事前処理３２１はなくともよい。ランダムアクセスメモリに第一の電圧パラメータである期待判定電圧の順序データを設定する工程３２２で、図１１、図１２の番号とSW出力の関係を、ランダムアクセスメモリに読み込む。その後、変数iが64未満かどうか判定する工程３２５により変数iは0なので、工程３２６に進む。
【０１９２】
その後、工程３２７により、0番目の機械式リレーへの出力データである６０を出力する。出力６０は、各スイッチの向けの出力でいうと、SW1=ON、SW2=ON、SW3=ON、SW4=ON、SW5=OFF、SW6=OFFである。この結果に基づき、図９における機械式リレー２１１がオンし、機械式リレー２１２がオンし、機械式リレー２１３がオンし、機械式リレー２１４がオンし、機械式リレー２１５がオフし、機械式リレー２１６がオフする。その結果、ノード５０１とノード５０２が短絡し、ノード５０３とノード５０４が短絡し、ノード５０５とノード５０６が短絡し、ノード５０７とノード５０８が短絡し、ノード５０９とノード５１０が短絡せず、ノード５１１とノード５１２が短絡しない。赤色発光ダイオード２２１は発光し、赤色発光ダイオード２２２は発光し、赤色発光ダイオード２２３は発光し、赤色発光ダイオード２２４は発光し、赤色発光ダイオード２２５は発光せず、赤色発光ダイオード２２６は発光しない。その後数秒待つ。
【０１９３】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０１９４】
工程３２８では評価対象の装置または回路からの判定結果はHなので、工程３３１に進む。工程３３１では変数is_firstは1なので、工程３３２に進む。工程３３２では、変数targetには、変数iである0が代入される。工程３３３では、変数iに1が加算され1となる。次に工程３２６に進む。その後、変数iが64未満かどうか判定する工程３２６により変数iは1なので、工程３２７に進む。
【０１９５】
その後、工程３２７により、1番目の機械式リレーへの出力データである６１を出力する。出力６１は、各スイッチの向けの出力でいうと、SW1=ON、SW2=ON、SW3=ON、SW4=ON、SW5=OFF、SW6=ONである。この結果に基づき、図９における機械式リレー２１１がオンし、機械式リレー２１２がオンし、機械式リレー２１３がオンし、機械式リレー２１４がオンし、機械式リレー２１５がオフし、機械式リレー２１６がオンする。その結果、ノード５０１とノード５０２が短絡し、ノード５０３とノード５０４が短絡し、ノード５０５とノード５０６が短絡し、ノード５０７とノード５０８が短絡し、ノード５０９とノード５１０が短絡せず、ノード５１１とノード５１２が短絡する。赤色発光ダイオード２２１は発光し、赤色発光ダイオード２２２は発光し、赤色発光ダイオード２２３は発光し、赤色発光ダイオード２２４は発光し、赤色発光ダイオード２２５は発光せず、赤色発光ダイオード２２６は発光する。その後数秒待つ。
【０１９６】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０１９７】
工程３２８では評価対象の装置または回路からの判定結果はHなので、工程３３１に進む。工程３３１では変数is_firstは1なので、工程３３２に進む。工程３３２では、変数targetには、変数iである1が代入される。工程３３３では、変数iに1が加算され2となる。次に工程３２６に進む。その後、変数iが64未満かどうか判定する工程３２６により変数iは1なので、工程３２７に進む。
【０１９８】
このように、工程３２６、３２７、３２８、３３１、３３２を、判定結果Lを受け取る、変数iが13になるまで繰り返し、工程３２７に進む。この間、変数targetは更新され続ける。ここで説明の都合上変数iが12の状態を説明する。
【０１９９】
工程３２７により、12番目の機械式リレーへの出力データである４８を出力する。出力４８は、各スイッチの向けの出力でいうと、SW1=ON、SW2=ON、SW3=OFF、SW4=OFF、SW5=OFF、SW6=OFFである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオフする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡しない。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光しない。その後数秒待つ。
【０２００】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０２０１】
工程３２８では評価対象の装置または回路からの判定結果はHなので、工程３３１に進む。工程３３１では変数is_firstは1なので、工程３３２に進む。工程３３２では、変数targetには、変数iである12が代入される。工程３３３では、変数iに1が加算され13となる。次に工程３２６に進む。その後、変数iが64未満かどうか判定する工程３２６により変数iは13なので、工程３２７に進む。
【０２０２】
このように、工程３２６、３２７、３２８、３３１、３３２を、判定結果Lを受け取る、変数iが13になるまで繰り返し、工程３２７に進む。この間、変数targetは更新され続ける。
【０２０３】
工程３２７により、13番目の機械式リレーへの出力データである４４を出力する。出力４４は、各スイッチの向けの出力でいうと、SW1=ON、SW2=OFF、SW3=ON、SW4=ON、SW5=OFF、SW6=OFFである。この結果に基づき、図９における機械式リレー２１１がオンし、機械式リレー２１２がオフし、機械式リレー２１３がオンし、機械式リレー２１４がオンし、機械式リレー２１５がオフし、機械式リレー２１６がオフする。その結果、ノード５０１とノード５０２が短絡し、ノード５０３とノード５０４が短絡せず、ノード５０５とノード５０６が短絡し、ノード５０７とノード５０８が短絡し、ノード５０９とノード５１０が短絡せず、ノード５１１とノード５１２が短絡しない。赤色発光ダイオード２２１は発光し、赤色発光ダイオード２２２は発光せず、赤色発光ダイオード２２３は発光し、赤色発光ダイオード２２４は発光し、赤色発光ダイオード２２５は発光せず、赤色発光ダイオード２２６は発光しない。その後数秒待つ。
【０２０４】
その結果、評価対象の装置または回路は、図１３に示した通り、第一の評価対象の装置または回路からの判定結果Lを返す。その結果、機械式リレー２５１はオンする。その結果、マイクロプロセッサ２９１は信号Lを受け取る。また、緑色発光ダイオード２６１は発光しない。
【０２０５】
工程３２８では評価対象の装置または回路からの判定結果はLなので、工程３２９に進む。工程３２９では、変数is_firstが1、変数targetが12なので、工程３３０に進む。工程３３０では、変数is_firstに0が代入される。工程３３３では、変数iに1が加算され14となる。次に工程３２６に進む。その後、変数iが64未満かどうか判定する工程３２６により変数iは14なので、工程３２７に進む。
【０２０６】
工程３２７により、14番目の機械式リレーへの出力データである４９を出力する。出力４９は、各スイッチの向けの出力でいうと、SW1=ON、SW2=ON、SW3=OFF、SW4=OFF、SW5=OFF、SW6=ONである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオンする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡する。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光する。その後数秒待つ。
【０２０７】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０２０８】
工程３２８では評価対象の装置または回路からの判定結果はHなので、工程３３１に進む。工程３３１では変数is_firstは0なので、工程３３２を飛ばし工程３３３に進む。変数targetは更新されない。工程３３３では、変数iに1が加算され15となる。次に工程３２６に進む。その後、変数iが64未満かどうか判定する工程３２６により変数iは15なので、工程３２７に進む。
【０２０９】
工程３２７により、15番目の機械式リレーへの出力データである４５を出力する。出力４５は、各スイッチの向けの出力でいうと、SW1=ON、SW2=OFF、SW3=ON、SW4=ON、SW5=OFF、SW6=ONである。この結果に基づき、図９における機械式リレー２１１がオンし、機械式リレー２１２がオフし、機械式リレー２１３がオンし、機械式リレー２１４がオンし、機械式リレー２１５がオフし、機械式リレー２１６がオンする。その結果、ノード５０１とノード５０２が短絡し、ノード５０３とノード５０４が短絡せず、ノード５０５とノード５０６が短絡し、ノード５０７とノード５０８が短絡し、ノード５０９とノード５１０が短絡せず、ノード５１１とノード５１２が短絡する。赤色発光ダイオード２２１は発光し、赤色発光ダイオード２２２は発光せず、赤色発光ダイオード２２３は発光し、赤色発光ダイオード２２４は発光し、赤色発光ダイオード２２５は発光せず、赤色発光ダイオード２２６は発光する。その後数秒待つ。
【０２１０】
その結果、評価対象の装置または回路は、図１３に示した通り、第一の評価対象の装置または回路からの判定結果Lを返す。その結果、機械式リレー２５１はオンする。その結果、マイクロプロセッサ２９１は信号Lを受け取る。また、緑色発光ダイオード２６１は発光しない。
【０２１１】
工程３２８では評価対象の装置または回路からの判定結果はLなので、工程３２９に進む。工程３２９では、変数is_firstが0、変数targetが12なので、工程３３０を飛ばし工程３３３に進む。工程３３３では、変数iに1が加算され16となる。次に工程３２６に進む。その後、変数iが64未満かどうか判定する工程３２６により変数iは16なので、工程３２７に進む。
【０２１２】
このように、工程３２６、３２７、３２８、３２９、３３３を、変数iが64になるまで繰り返し、工程３２６に進む。この間、変数targetは更新されない。その後、変数iが64未満かどうか判定する工程３２６により変数iは64なので、工程３３４に進む。
【０２１３】
工程３３４では、変数target番目の機械式リレーへの出力データつまり12番目の機械式リレーへの出力データつまり４８を出力する。出力４８は、各スイッチの向けの出力でいうと、SW1=ON、SW2=ON、SW3=OFF、SW4=OFF、SW5=OFF、SW6=OFFである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオフする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡しない。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光しない。
【０２１４】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０２１５】
工程３３５で事後処理を行い、終了する。
【０２１６】
最終状態で、色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光しないのを見て、SW1=ON、SW2=ON、SW3=OFF、SW4=OFF、SW5=OFF、SW6=OFFが得られた結果であること結論付けられる。また、この結果を、工程３３５の事後処理で、不揮発性メモリに記録することもできる。
【０２１７】
途中の状態では、赤色発光ダイオード２２１〜２２６の発光状態で、現在どのような状態を評価しているか視認できる。また、緑色発光ダイオード２６１で、評価対象の装置または回路からの第一の評価対象の装置または回路からの判定結果を視認できる。
【０２１８】
２１１、２１２、２１３、２１４、２１５、２１６に機械式リレーを用いること、工程３２２で第一の電圧パラメータである期待判定電圧の順序データを設定することは、第３の実施の形態における非常に重要な特徴である。図１５に示した工程を変え、工程３３０に到達したら事後処理を行ったり、以降の評価をしないようにしたりするようにすることもできる。第１の実施の形態は、６つのスイッチの設定を検出する例を開示したが、６つである必要はなく、検出するスイッチの設定の数は、請求項に記述する範囲が権利の対象となると解釈すべきである。
【０２１９】
第３の実施の形態により、測定評価に人間が要する時間を減らし、コストを削減することができる条件検出装置を提供する。
【０２２０】
［第４の実施の形態］
第４の実施の形態は、適切な過電圧判定電圧にするための設定を検出するための条件検出装置に関する。過充電保護装置の実施の形態で説明した過充電保護装置などのスイッチの条件検出を目的とする。装置の回路に関しては、第１の実施の形態と同様である。第４の実施の形態の条件検出装置に関し、回路の中のマイクロプロセッサの動作フローチャートを図１６に示す。図１６中の分割比例関数の動作のフローチャートを図１７に示す。
【０２２１】
判定結果が変化する境界の、第一の入力信号および第二の入力信号および第三の入力信号および第四の入力信号および第五の入力信号および第六の入力信号のオン・オフの組み合わせを出力する、第一の方法は、あらかじめ前記第一のパラメータに基づき並べられた、第一の入力信号および第二の入力信号および第三の入力信号および第四の入力信号および前記第五の入力信号および前記第六の入力信号のオン・オフの組み合わせに基づき、
考えられる出力すべき条件の範囲の最小値と最大値を常に保持しておき、最大値と最小値の中央の値で第一のパラメータに依存する判定結果を取得し、第一の電圧パラメータに依存する判定結果に応じて、最大値または最小値を中央の値に置き換えるという工程を繰り返すことにより、徐々に最小値と最大値の範囲を狭めていき、最終的に一つの、第一の入力信号および第二の入力信号および第三の入力信号および第四の入力信号および第五の入力信号および第六の入力信号のオン・オフの組み合わせを特定することを含む工程により、
第一の電圧パラメータに依存する判定結果が変化する境界の、第一の入力信号および第二の入力信号および第三の入力信号および第四の入力信号および第五の入力信号および第六の入力信号のオン・オフの組み合わせを出力することによるものである。
【０２２２】
マイクロプロセッサ２９１は、事前処理３４１、ランダムアクセスメモリに第一の電圧パラメータである期待判定電圧の順序データを設定する工程３４２を行う。事前処理としては、不揮発性メモリに記録された前回の出力結果を読み出し表示する等の処理を行ってもよい。簡易的には事前処理３４１はなくともよい。ランダムアクセスメモリに第一の電圧パラメータである期待判定電圧の順序データを設定する工程３４２で用意する機械式リレーへの出力データに関しては、第１の実施の形態と同様であり、図１１、図１２に示した。その後、工程３４３にて、分割比較関数を実行する。その際、第一引数に0、第二引数に第一の電圧パラメータである期待判定電圧の順序データの最大の番号である63を与える。そして、戻り値を変数targetに代入する。
【０２２３】
工程３４４では、変数target番目の機械式リレーへの出力データを出力し、工程３４５で事後処理を行い、終了する。変数target番目の機械式リレーへの出力データを出力する工程３４４では、赤色発光ダイオード２２１、赤色発光ダイオード２２２、赤色発光ダイオード２２３、赤色発光ダイオード２２４、赤色発光ダイオード２２５、赤色発光ダイオード２２６の発光により、第一の機械式リレー２１１、第二の機械式リレー２１２、第三の機械式リレー２１３、第四の機械式リレー２１４、第五の機械式リレー２１５、第六の機械式リレー２１６の状態を視認できる。これら発光ダイオードの発光が本条件検出装置の出力結果でありこの出力結果によりにより、スイッチ１２４−１〜６（過充電保護装置の実施の形態および図２参照）をどのように設定すればよいかを判断できる。事後処理３４５の工程では、本条件検出装置の出力結果である変数target番目の機械式リレーへの出力データや変数target等を不揮発性メモリに記録する等の処理を行ってもよい。簡易的には事後処理３４５の工程はなくてもよい。
【０２２４】
工程３４３の分割比較関数に関して図１７を参照し説明する。関数開始後、まず工程３５１で、変数minに第一引数を代入し、変数maxに第二引数を代入する。次に工程３５２にて、変数max−変数minが1以下なら関数を終了し、戻り値として変数minを返す。変数max−変数minが1を超えていたら工程３５３に進む。工程３５３では、変数midに（変数min＋変数max）／2を代入する。ここで、小数点以下は切り捨てて整数化する。
【０２２５】
工程３５４では、変数mid番目の、第一の機械式リレー２１１、第二の機械式リレー２１２、第三の機械式リレー２１３、第四の機械式リレー２１４、第五の機械式リレー２１５、第六の機械式リレー２１６を制御するための信号を出力する。ここで、これらの信号により、ノード５０１とノード５０２、ノード５０３とノード５０４、ノード５０５とノード５０６、ノード５０７とノード５０８、ノード５０９とノード５１０、ノード５１１とノード５１２が短絡または解放される。また、赤色発光ダイオード２２１、２２２、２２３、２２４、２２５、２２６が点灯または消灯する。
【０２２６】
図１７では省略しているが、評価対象の装置または回路からの判定結果を待つため、ここで数秒待つとよい。その後、対象評価装置からの評価対象の装置または回路からの判定結果を、端子台２４１経由で受け取り、第七の機械式リレー２５１、抵抗器２８１経由で受け取る。工程３５５にて、評価対象の装置または回路からの判定結果が、L（ロー）である場合、工程３５６に進み、評価対象の装置または回路からの判定結果が、H（ハイ）である場合、工程３５７に進む。工程３５６にて、さらに分割比較関数を実行する。その際、第一引数に変数min、第二引数に変数midを与える。そして、戻り値を変数retに代入する。そしてその後、関数を終了し、変数retを返す。工程３５７では、さらに分割比較関数を実行する。その際、第一引数に変数mid、第二引数に変数maxを与える。そして、戻り値を変数retに代入する。そしてその後、関数を終了し、変数retを返す。
【０２２７】
分割比較関数では、変数max−変数minが1以下になったら変数minを返すが、そうなるまでは、対象評価装置からの評価対象の装置または回路からの判定結果によって引数を変えて、さらに分割比較関数を実行する。
【０２２８】
このような工程により、変数minは0、変数maxに第一の電圧パラメータである期待判定電圧の順序データの最大の番号である63から始まり、その中央である変数mid番目の信号を出力し、その評価対象の装置または回路からの判定結果により、変数minまたは変数maxの片方を変数midに置き換え、変数minと変数maxの範囲を半分にする。これを繰り返し、最終的に変数minと変数maxの差を1にし、そのときの変数minを戻り値として返す。この戻り値は最終戻り値となる。最終的に変数minと変数maxの差が1のとき変数min番目の評価対象の装置または回路からの判定結果はH、変数max番目の評価対象の装置または回路からの判定結果はLとなるので、最終戻り値は、評価対象の装置または回路からの判定結果Hと評価対象の装置または回路からの判定結果Lが隣り合う部分の評価対象の装置または回路からの判定結果Hを返す側の出力となる。
【０２２９】
ランダムアクセスメモリに第一の電圧パラメータである期待判定電圧の順序データを設定する工程３０２で用意するデータに関しては、第１の実施の形態の場合と同様である。用意するデータの例を図１１、図１２に示した。
【０２３０】
まず、第一の電圧パラメータである期待判定電圧に関して説明する。第一の電圧パラメータである期待判定電圧は、図８で示される、評価対象装置の代表機で実測した過充電防止回路の実施の形態の過電圧保護装置の過電圧判定電圧である。評価対象装置の代表機で実測した過充電防止回路の実施の形態の過電圧保護装置の過電圧判定電圧を、第一の電圧パラメータである期待判定電圧と呼ぶことにする。図１１、図１２では、期待判定電圧という用語を用いている。評価対象装置の代表機でスイッチごとの過電圧判定電圧を直流電源装置等を用いて計測評価しておく。そして、評価対象装置の代表機で実測した過充電防止回路の実施の形態の過電圧保護装置の過電圧判定電圧、すなわち第一の電圧パラメータである期待判定電圧を用いて、大量の評価対象の過電圧保護装置の過電圧判定電圧を最適に設定するためのスイッチ群（スイッチ１２４−１、スイッチ１２４−２、スイッチ１２４−３、スイッチ１２４−４、スイッチ１２４−５、スイッチ１２４−６）の設定を検出し、大量の評価対象の過電圧保護装置の過電圧判定電圧を設定できるようにする。
【０２３１】
ランダムアクセスメモリに第一の電圧パラメータである期待判定電圧の順序データを設定する工程３０２で用意するデータは、スイッチ群の組み合わせと第一の電圧パラメータである期待判定電圧の対応関係を用いて、スイッチ群の組み合わせを第一の電圧パラメータである期待判定電圧の小さい順に並び替えた情報を用意する。あらかじめわかっていて個別の評価対象の過電圧保護装置ごとに生成する必要のないこの情報を、プログラムに設定しておき、ランダムアクセスメモリに第一の電圧パラメータである期待判定電圧の順序データを設定する工程３４２でランダムメモリに読み込む（書きこむ）。あるいは、不揮発性メモリにあらかじめ書いてあるリデータを読み込み、ランダムアクセスメモリに第一の電圧パラメータである期待判定電圧の順序データを設定する工程３４２でランダムメモリに読み込む。
【０２３２】
以上説明した条件検出方法でどのように最適なスイッチの設定が決定されるか、例示する。評価対象の装置または回路から第一の評価対象の装置または回路からの判定結果の例を図１３に示す。この図１３の例は、個別の評価対象の過電圧保護装置ごとに変わりうる一例である。図１３の結果は、第一の電圧パラメータである期待判定電圧、第一の電圧パラメータである期待判定電圧順に並べた結果に対する、評価対象の装置または回路からの判定結果のため、理想的には、あるところまではHとなり、その後Lとなる。しかし、図２の発光ダイオード１１１−１〜１４の閾値のばらつきよる個体差により、あるところまではHとなるが、その後一度Lとなり、さらにその後一度Hとなり、その後Lとなることなどがある。また、図１３のすべてのデータを取得する必要はないことにも注意が必要である。
【０２３３】
マイクロプロセッサ２９１は、事前処理３４１、ランダムアクセスメモリに第一の電圧パラメータである期待判定電圧の順序データを設定する工程３４２を行う。事前処理としては、不揮発性メモリに記録された前回の出力結果を読み出し表示する等の処理を行ってもよい。簡易的には事前処理３４１はなくともよい。ランダムアクセスメモリに第一の電圧パラメータである期待判定電圧の順序データを設定する工程３４２で、図１１、図１２の番号とSW出力の関係を、ランダムアクセスメモリに読み込む。その後、工程３４３にて、分割比較関数を実行する。その際、第一引数に0、第二引数に第一の電圧パラメータである期待判定電圧の順序データの最大の番号である63を与える。
【０２３４】
１階層目の、分割比較関数の工程３５１にて、変数minに第一引数0を代入し、変数maxに第二引数63を代入する。次に工程３５２にて、変数max−変数minが1を超えているので、工程３５３に進む。工程３５３では、変数midに（変数min＋変数max）／2つまり31を代入する。ここで、小数点以下は切り捨てて整数化する。
【０２３５】
工程３５４により、変数mid番目、つまり31番目の機械式リレーへの出力データである３４を出力する。出力３４は、各スイッチの向けの出力でいうと、SW1=ON、SW2=OFF、SW3=OFF、SW4=OFF、SW5=ON、SW6=OFFである。この結果に基づき、図９における機械式リレー２１１がオンし、機械式リレー２１２がオフし、機械式リレー２１３がオフし、機械式リレー２１４がオフし、機械式リレー２１５がオンし、機械式リレー２１６がオフする。その結果、ノード５０１とノード５０２が短絡し、ノード５０３とノード５０４が短絡せず、ノード５０５とノード５０６が短絡せず、ノード５０７とノード５０８が短絡せず、ノード５０９とノード５１０が短絡し、ノード５１１とノード５１２が短絡しない。赤色発光ダイオード２２１は発光し、赤色発光ダイオード２２２は発光せず、赤色発光ダイオード２２３は発光せず、赤色発光ダイオード２２４は発光せず、赤色発光ダイオード２２５は発光し、赤色発光ダイオード２２６は発光しない。その後数秒待つ。
【０２３６】
その結果、評価対象の装置または回路は、図１３に示した通り、第一の評価対象の装置または回路からの判定結果Lを返す。その結果、機械式リレー２５１はオフする。その結果、マイクロプロセッサ２９１は信号Lを受け取る。また、緑色発光ダイオード２６１は発光しない。工程３５５では、評価対象の装置または回路からの判定結果がLなので、工程３５６に進む。工程３５６にて、分割比較関数を実行する。その際、第一引数に変数minすなわち0、第二引数に変数midすなわち31を与える。
【０２３７】
２階層目の、分割比較関数の工程３５１にて、変数minに第一引数0を代入し、変数maxに第二引数31を代入する。次に工程３５２にて、変数max−変数minが1を超えているので、工程３５３に進む。工程３５３では、変数midに（変数min＋変数max）／2つまり15を代入する。ここで、小数点以下は切り捨てて整数化する。
【０２３８】
その後、工程３５４により、変数mid番目、つまり15番目の機械式リレーへの出力データである４５を出力する。出力４５は、各スイッチの向けの出力でいうと、SW1=ON、SW2=OFF、SW3=ON、SW4=ON、SW5=OFF、SW6=ONである。この結果に基づき、図９における機械式リレー２１１がオンし、機械式リレー２１２がオフし、機械式リレー２１３がオンし、機械式リレー２１４がオンし、機械式リレー２１５がオフし、機械式リレー２１６がオンする。その結果、ノード５０１とノード５０２が短絡し、ノード５０３とノード５０４が短絡せず、ノード５０５とノード５０６が短絡し、ノード５０７とノード５０８が短絡し、ノード５０９とノード５１０が短絡せず、ノード５１１とノード５１２が短絡する。赤色発光ダイオード２２１は発光し、赤色発光ダイオード２２２は発光せず、赤色発光ダイオード２２３は発光し、赤色発光ダイオード２２４は発光し、赤色発光ダイオード２２５は発光せず、赤色発光ダイオード２２６は発光する。その後数秒待つ。
【０２３９】
その結果、評価対象の装置または回路は、図１３に示した通り、第一の評価対象の装置または回路からの判定結果Lを返す。その結果、機械式リレー２５１はオフする。その結果、マイクロプロセッサ２９１は信号Lを受け取る。また、緑色発光ダイオード２６１は発光しない。工程３５５では、評価対象の装置または回路からの判定結果がLなので、工程３５６に進む。工程３５６にて、分割比較関数を実行する。その際、第一引数に変数minすなわち0、第二引数に変数midすなわち15を与える。
【０２４０】
３階層目の、分割比較関数の工程３５１にて、変数minに第一引数0を代入し、変数maxに第二引数15を代入する。次に工程３５２にて、変数max−変数minが1を超えているので、工程３５３に進む。工程３５３では、変数midに（変数min＋変数max）／2つまり7を代入する。ここで、小数点以下は切り捨てて整数化する。
【０２４１】
その後、工程３５４により、変数mid番目、つまり7番目の機械式リレーへの出力データである５２を出力する。出力５２は、各スイッチの向けの出力でいうと、SW1=ON、SW2=ON、SW3=OFF、SW4=ON、SW5=OFF、SW6=OFFである。この結果に基づき、図９における機械式リレー２１１がオンし、機械式リレー２１２がオンし、機械式リレー２１３がオフし、機械式リレー２１４がオンし、機械式リレー２１５がオフし、機械式リレー２１６がオフする。その結果、ノード５０１とノード５０２が短絡し、ノード５０３とノード５０４が短絡し、ノード５０５とノード５０６が短絡せず、ノード５０７とノード５０８が短絡し、ノード５０９とノード５１０が短絡せず、ノード５１１とノード５１２が短絡しない。赤色発光ダイオード２２１は発光し、赤色発光ダイオード２２２は発光し、赤色発光ダイオード２２３は発光せず、赤色発光ダイオード２２４は発光し、赤色発光ダイオード２２５は発光せず、赤色発光ダイオード２２６は発光しない。その後数秒待つ。
【０２４２】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。工程３５５では、評価対象の装置または回路からの判定結果がHなので、工程３５７に進む。工程３５７にて、分割比較関数を実行する。その際、第一引数に変数midすなわち7、第二引数に変数maxすなわち15を与える。
【０２４３】
４階層目の、分割比較関数の工程３５１にて、変数minに第一引数7を代入し、変数maxに第二引数15を代入する。次に工程３５２にて、変数max−変数minが1を超えているので、工程３５３に進む。工程３５３では、変数midに（変数min＋変数max）／2つまり11を代入する。ここで、小数点以下は切り捨てて整数化する。
【０２４４】
その後、工程３５４により、変数mid番目、つまり11番目の機械式リレーへの出力データである５５を出力する。出力５５は、各スイッチの向けの出力でいうと、SW1=ON、SW2=ON、SW3=OFF、SW4=ON、SW5=ON、SW6=ONである。この結果に基づき、図９における機械式リレー２１１がオンし、機械式リレー２１２がオンし、機械式リレー２１３がオフし、機械式リレー２１４がオンし、機械式リレー２１５がオンし、機械式リレー２１６がオンする。その結果、ノード５０１とノード５０２が短絡し、ノード５０３とノード５０４が短絡し、ノード５０５とノード５０６が短絡せず、ノード５０７とノード５０８が短絡し、ノード５０９とノード５１０が短絡し、ノード５１１とノード５１２が短絡する。赤色発光ダイオード２２１は発光し、赤色発光ダイオード２２２は発光し、赤色発光ダイオード２２３は発光せず、赤色発光ダイオード２２４は発光し、赤色発光ダイオード２２５は発光し、赤色発光ダイオード２２６は発光する。その後数秒待つ。
【０２４５】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。工程３５５では、評価対象の装置または回路からの判定結果がHなので、工程３５７に進む。工程３５７にて、分割比較関数を実行する。その際、第一引数に変数midすなわち11、第二引数に変数maxすなわち15を与える。
【０２４６】
５階層目の、分割比較関数の工程３５１にて、変数minに第一引数11を代入し、変数maxに第二引数15を代入する。次に工程３５２にて、変数max−変数minが1を超えているので、工程３５３に進む。工程３５３では、変数midに（変数min＋変数max）／2つまり13を代入する。ここで、小数点以下は切り捨てて整数化する。
【０２４７】
その後、工程３５４により、変数mid番目、つまり13番目の機械式リレーへの出力データである４４を出力する。出力４４は、各スイッチの向けの出力でいうと、SW1=ON、SW2=OFF、SW3=ON、SW4=ON、SW5=OFF、SW6=OFFである。この結果に基づき、図９における機械式リレー２１１がオンし、機械式リレー２１２がオフし、機械式リレー２１３がオンし、機械式リレー２１４がオンし、機械式リレー２１５がオフし、機械式リレー２１６がオフする。その結果、ノード５０１とノード５０２が短絡し、ノード５０３とノード５０４が短絡せず、ノード５０５とノード５０６が短絡し、ノード５０７とノード５０８が短絡し、ノード５０９とノード５１０が短絡せず、ノード５１１とノード５１２が短絡しない。赤色発光ダイオード２２１は発光し、赤色発光ダイオード２２２は発光せず、赤色発光ダイオード２２３は発光し、赤色発光ダイオード２２４は発光し、赤色発光ダイオード２２５は発光せず、赤色発光ダイオード２２６は発光しない。その後数秒待つ。
【０２４８】
その結果、評価対象の装置または回路は、図１３に示した通り、第一の評価対象の装置または回路からの判定結果Lを返す。その結果、機械式リレー２５１はオフする。その結果、マイクロプロセッサ２９１は信号Lを受け取る。また、緑色発光ダイオード２６１は発光しない。工程３５５では、評価対象の装置または回路からの判定結果がLなので、工程３５６に進む。工程３５６にて、分割比較関数を実行する。その際、第一引数に変数minすなわち11、第二引数に変数midすなわち13を与える。
【０２４９】
６階層目の、分割比較関数の工程３５１にて、変数minに第一引数11を代入し、変数maxに第二引数13を代入する。次に工程３５２にて、変数max−変数minが1を超えているので、工程３５３に進む。工程３５３では、変数midに（変数min＋変数max）／2つまり12を代入する。ここで、小数点以下は切り捨てて整数化する。
【０２５０】
その後、工程３５４により、変数mid番目、つまり12番目の機械式リレーへの出力データである４８を出力する。出力４８は、各スイッチの向けの出力でいうと、SW1=ON、SW2=ON、SW3=OFF、SW4=OFF、SW5=OFF、SW6=OFFである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオフする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡しない。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光しない。その後数秒待つ。
【０２５１】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。工程３５５では、評価対象の装置または回路からの判定結果がHなので、工程３５７に進む。工程３５７にて、分割比較関数を実行する。その際、第一引数に変数midすなわち12、第二引数に変数maxすなわち13を与える。
【０２５２】
７階層目の、分割比較関数の工程３５１にて、変数minに第一引数12を代入し、変数maxに第二引数13を代入する。次に工程３５２にて、変数max−変数minが1以下なので、関数を終了し、戻り値として変数minすなわち12を返す。
【０２５３】
６階層目の分割比較関数の工程３５７にて、戻り値12を変数retに代入し、終了し、変数retを返す。５階層目の分割比較関数の工程３５６にて、戻り値12を変数retに代入し、終了し、変数retを返す。４階層目の分割比較関数の工程３５７にて、戻り値12を変数retに代入し、終了し、変数retを返す。３階層目の分割比較関数の工程３５７にて、戻り値12を変数retに代入し、終了し、変数retを返す。２階層目の分割比較関数の工程３５６にて、戻り値12を変数retに代入し、終了し、変数retを返す。１階層目の分割比較関数の工程３５６にて、戻り値12を変数retに代入し、終了し、変数retを返す。工程３４３にて、戻り値12を変数targetに代入する。
【０２５４】
工程３４４では、変数target番目の機械式リレーへの出力データつまり12番目の機械式リレーへの出力データつまり４８を出力する。出力４８は、各スイッチの向けの出力でいうと、SW1=ON、SW2=ON、SW3=OFF、SW4=OFF、SW5=OFF、SW6=OFFである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオフする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡しない。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光しない。その後数秒待つ。
【０２５５】
その結果、評価対象の装置または回路は、図１３に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０２５６】
工程３３５で事後処理を行い、終了する。
【０２５７】
最終状態で、色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光しないのを見て、SW1=ON、SW2=ON、SW3=OFF、SW4=OFF、SW5=OFF、SW6=OFFが得られた結果であること結論付けられる。また、この結果を、工程３３５の事後処理で、不揮発性メモリに記録することもできる。
【０２５８】
途中の状態では、赤色発光ダイオード２２１〜２２６の発光状態で、現在どのような状態を評価しているか視認できる。また、緑色発光ダイオード２６１で、評価対象の装置または回路からの第一の評価対象の装置または回路からの判定結果を視認できる。
【０２５９】
２１１、２１２、２１３、２１４、２１５、２１６に機械式リレーを用いること、工程３４２で第一の電圧パラメータである期待判定電圧の順序データを設定することは、第４の実施の形態における非常に重要な特徴である。第４の実施の形態は、６つのスイッチの設定を検出する例を開示したが、６つである必要はなく、検出するスイッチの設定の数は、請求項に記述する範囲が権利の対象となると解釈すべきである。
【０２６０】
第４の実施の形態により、測定評価に人間が要する時間を減らし、コストを削減することができる条件検出装置を提供する。
【０２６１】
［第５の実施の形態］
第５の実施の形態は、適切な過電圧判定電圧にするための設定を検出するための条件検出装置に関する。過電圧保護装置の実施の形態で説明した過充電保護装置などのスイッチの条件検出を目的とする。装置の回路に関しては、第１の実施の形態と同様である。第５の実施の形態の条件検出装置に関し、回路の中のマイクロプロセッサの動作フローチャートを図１８に示す。
【０２６２】
マイクロプロセッサは、プログラミングメモリとランダムアクセスメモリを有し、プログラミングメモリまたはランダムアクセスメモリの一部には、第一の入力信号および第二の入力信号および第三の入力信号および第四の入力信号および第五の入力信号および第六の入力信号のオン・オフの組み合わせごとの第一の電圧パラメータが保存され、マイクロプロセッサは、第一の入力信号および第二の入力信号および第三の入力信号および第四のの入力信号および第五の入力信号および第六の入力信号のオン・オフの組み合わせを出力することができ、マイクロプロセッサは、評価対象の装置または回路から第一の判定結果を受け取り、マイクロプロセッサは、第一のパラメータが最大または最小となる、第一の入力信号および第二の入力信号および第三の入力信号および第四の入力信号および第五の入力信号および第六の入力信号のオン・オフの組み合わせを出力する。
【０２６３】
マイクロプロセッサ２９１は、事前処理３６１、ランダムアクセスメモリに第一の電圧パラメータである期待判定電圧を設定する工程３６２、変数iに63を代入する工程３６３、変数max_dに-1000を代入する工程を行う。事前処理としては、不揮発性メモリに記録された前回の出力結果を読み出し表示する等の処理を行ってもよい。簡易的には事前処理３６１はなくともよい。ランダムアクセスメモリに第一の電圧パラメータである期待判定電圧を設定する工程３６２で用意するデータに関しては、後で説明する。その後、変数iが0以上かどうか判定する工程により0以上であれば工程３６５に進み、0以上でない場合工程３７２に進む。
【０２６４】
工程３６６では、変数iの、第一の機械式リレー２１１、第二の機械式リレー２１２、第三の機械式リレー２１３、第四の機械式リレー２１４、第五の機械式リレー２１５、第六の機械式リレー２１６を制御するための信号を出力する。ここで、これらの信号により、ノード５０１とノード５０２、ノード５０３とノード５０４、ノード５０５とノード５０６、ノード５０７とノード５０８、ノード５０９とノード５１０、ノード５１１とノード５１２が短絡または解放される。また、赤色発光ダイオード２２１、２２２、２２３、２２４、２２５、２２６が点灯または消灯する。
【０２６５】
図１８では省略しているが、評価対象の装置または回路からの判定結果を待つため、ここで数秒待つとよい。その後、対象評価装置からの評価対象の装置または回路からの判定結果を、端子台２４１経由で受け取り、第七の機械式リレー２５１、抵抗器２８１経由で受け取る。工程３６７にて、評価対象の装置または回路からの判定結果が、H（ハイ）である場合、工程３６８に進み、評価対象の装置または回路からの判定結果が、L（ロー）である場合、工程３６８、工程３６９、工程３７０を飛ばして、工程３７１に進む。工程３６８では、変数max_dが変数iの機械式リレーへの出力データの第一の電圧パラメータである期待判定電圧より小さい場合、工程３６９に進み、変数max_dが変数iの機械式リレーへの出力データの第一の電圧パラメータである期待判定電圧より小さくない場合、工程３６９、工程３７０を飛ばし、工程３７１に進む。工程３６９では、変数targetに変数iを代入し、変数targetを変数iで更新する。工程３７０では、変数max_dに変数iの機械式リレーへの出力データの第一の電圧パラメータである期待判定電圧を代入する。工程３７１では、変数iから1を減算する。
【０２６６】
工程３６５から３７１により、２の６乗である６４通りの、第一の機械式リレー２１１、第二の機械式リレー２１２、第三の機械式リレー２１３、第四の機械式リレー２１４、第五の機械式リレー２１５、第六の機械式リレー２１６を制御するための信号の組み合わせそれぞれに対し、信号の組み合わせを出力し、一定時間待ったうえで第七の機械式リレー２５１、抵抗器２８１経由で評価対象の装置または回路からの判定結果を受け取る。評価対象の装置または回路からの判定結果がH（ハイ）かつ変数max_dが変数iの機械式リレーへの出力データの第一の電圧パラメータである期待判定電圧より小さいときのみ変数targetと変数max_dを更新する。
【０２６７】
最後に、工程３７２では、変数target番目の機械式リレーへの出力データを出力し、工程３７３で事後処理を行い、終了する。変数target番目の機械式リレーへの出力データを出力する工程３７２では、赤色発光ダイオード２２１、赤色発光ダイオード２２２、赤色発光ダイオード２２３、赤色発光ダイオード２２４、赤色発光ダイオード２２５、赤色発光ダイオード２２６の発光により、第一の機械式リレー２１１、第二の機械式リレー２１２、第三の機械式リレー２１３、第四の機械式リレー２１４、第五の機械式リレー２１５、第六の機械式リレー２１６の状態を視認できる。これら発光ダイオードの発光が本条件検出装置の出力結果でありこの出力結果によりにより、スイッチ１２４−１〜６（過充電保護装置の実施の形態および図２参照）をどのように設定すればよいかを判断できる。事後処理３７３の工程では、本条件検出装置の出力結果である変数target番目の機械式リレーへの出力データや変数target等を不揮発性メモリに記録する等の処理を行ってもよい。簡易的には事後処理３７３の工程はなくてもよい。
【０２６８】
評価対象の装置または回路からの判定結果がH（ハイ）かつ変数max_dが変数iの機械式リレーへの出力データの第一の電圧パラメータである期待判定電圧より小さいときのみ変数targetと変数max_dを更新する工程により、評価対象の装置または回路からの判定結果がHである出力のうち、最も第一の電圧パラメータである期待判定電圧が大きい出力が、変数targetとなる。その結果（変数target番目の機械式リレーへの出力）を最後に出力するので、評価対象の装置または回路からの判定結果がHである出力のうち、最も第一の電圧パラメータである期待判定電圧が大きい出力が結果となる。
【０２６９】
ランダムアクセスメモリに第一の電圧パラメータである期待判定電圧を設定する工程３６２で用意する機械式リレーへの出力データについて説明する。用意する機械式リレーへの出力データの例を図１９、図２０に示し説明する。
【０２７０】
まず、第一の電圧パラメータである期待判定電圧に関して説明する。第一の電圧パラメータである期待判定電圧は、図８に示した通り、評価対象装置の代表機で実測した過充電防止回路の実施の形態の過電圧保護装置の過電圧判定電圧である。評価対象装置の代表機で実測した過電圧保護装置の実施の形態の過電圧保護装置の過電圧判定電圧を、第一の電圧パラメータである期待判定電圧と呼ぶことにする。図１９、図２０では、期待判定電圧という用語を用いている。評価対象装置の代表機でスイッチごとの過電圧判定電圧を直流電源装置等を用いて計測評価しておく。そして、評価対象装置の代表機で実測した過充電防止回路の実施の形態の過電圧保護装置の過電圧判定電圧、すなわち第一の電圧パラメータである期待判定電圧を用いて、大量の評価対象の過電圧保護装置の過電圧判定電圧を最適に設定するためのスイッチ群（スイッチ１２４−１、スイッチ１２４−２、スイッチ１２４−３、スイッチ１２４−４、スイッチ１２４−５、スイッチ１２４−６）の設定を検出し、大量の評価対象の過電圧保護装置の過電圧判定電圧を設定できるようにする。
【０２７１】
ランダムアクセスメモリに第一の電圧パラメータである期待判定電圧の順序データを設定する工程３６２で用意するデータは、過電圧保護装置の過電圧判定電圧そのものである。あらかじめわかっていて個別の評価対象の過電圧保護装置ごとに生成する必要のないこの情報を、プログラムに設定しておき、ランダムアクセスメモリに第一の電圧パラメータである期待判定電圧を設定する工程３６２でランダムメモリに読み込む。あるいは、不揮発性メモリにあらかじめ書いてある機械式リレーへの出力データを、ランダムアクセスメモリに第一の電圧パラメータである期待判定電圧を設定する工程３６２でランダムメモリに読み込む。
【０２７２】
以上説明した条件検出方法でどのように最適なスイッチの設定が決定されるか、例示する。評価対象の装置または回路から第一の評価対象の装置または回路からの判定結果の例を図２１に示す。この図２１の例は、個別の評価対象の過電圧保護装置ごとに変わりうる一例である。過充電保護装置の実施の形態における図８で単調増加ではないことに加え、図２の発光ダイオード１１１−１〜１４の閾値のばらつきよる個体差があることにより、図２１の結果は、一度Lになった後Hになるということが普通に起こり得る。
【０２７３】
マイクロプロセッサ２９１は、事前処理３６１、ランダムアクセスメモリに第一の電圧パラメータである期待判定電圧の順序データを設定する工程３６２、変数iに63を代入する工程３６３、変数max_dに-1000を代入する工程３６４を行う。事前処理としては、不揮発性メモリに記録された前回の出力結果を読み出し表示する等の処理を行ってもよい。簡易的には事前処理３６１はなくともよい。ランダムアクセスメモリに第一の電圧パラメータである期待判定電圧を設定する工程３６２で、図１９、図２０の番号と第一の電圧パラメータである期待判定電圧の関係を、ランダムアクセスメモリに読み込む。その後、変数iが0以上かどうか判定する工程３６５により変数iは63なので、工程３６６に進む。
【０２７４】
その後、工程３６６により、変数iは63なので、６３を出力する。出力６３は、各スイッチの向けの出力でいうと、SW1=ON、SW2=ON、SW3=ON、SW4=ON、SW5=ON、SW6=ONである。この結果に基づき、図９における機械式リレー２１１がオンし、機械式リレー２１２がオンし、機械式リレー２１３がオンし、機械式リレー２１４がオンし、機械式リレー２１５がオンし、機械式リレー２１６がオンする。その結果、ノード５０１とノード５０２が短絡し、ノード５０３とノード５０４が短絡し、ノード５０５とノード５０６が短絡し、ノード５０７とノード５０８が短絡し、ノード５０９とノード５１０が短絡し、ノード５１１とノード５１２が短絡する。赤色発光ダイオード２２１は発光し、赤色発光ダイオード２２２は発光し、赤色発光ダイオード２２３は発光し、赤色発光ダイオード２２４は発光し、赤色発光ダイオード２２５は発光し、赤色発光ダイオード２２６は発光する。その後数秒待つ。
【０２７５】
その結果、評価対象の装置または回路は、図２１に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。工程３６７では評価対象の装置または回路からの判定結果はHなので、工程３６８に進む。
【０２７６】
工程３６８では、変数max_dが-1000、変数iの機械式リレーへの出力データつまり63の機械式リレーへの出力データの第一の電圧パラメータである期待判定電圧が12.2で、変数max_dが変数iの機械式リレーへの出力データの第一の電圧パラメータである期待判定電圧より小さいので、工程３６９に進む。工程３６９では、変数targetに数iである63が代入される。工程３７０では、変数max_dに、変数iの機械式リレーへの出力データの期待判定電圧である12.2を代入する。工程３７１では、変数iから1が減算され62となる。次に工程３６５に進む。その後、変数iが0以上かどうか判定する工程３６５により変数iは62なので、工程３６６に進む。
【０２７７】
その後、工程３６６により、変数iは62なので、６２を出力する。出力６２は、各スイッチの向けの出力でいうと、SW1=ON、SW2=ON、SW3=ON、SW4=ON、SW5=ON、SW6=OFFである。この結果に基づき、図９における機械式リレー２１１がオンし、機械式リレー２１２がオンし、機械式リレー２１３がオンし、機械式リレー２１４がオンし、機械式リレー２１５がオンし、機械式リレー２１６がオフする。その結果、ノード５０１とノード５０２が短絡し、ノード５０３とノード５０４が短絡し、ノード５０５とノード５０６が短絡し、ノード５０７とノード５０８が短絡し、ノード５０９とノード５１０が短絡し、ノード５１１とノード５１２が短絡しない。赤色発光ダイオード２２１は発光し、赤色発光ダイオード２２２は発光し、赤色発光ダイオード２２３は発光し、赤色発光ダイオード２２４は発光し、赤色発光ダイオード２２１は発光し、赤色発光ダイオード２２１は発光しない。その後数秒待つ。
【０２７８】
その結果、評価対象の装置または回路は、図２１に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０２７９】
工程３６７では評価対象の装置または回路からの判定結果はHなので、工程３６８に進む。工程３６８では、変数max_dが12.2、変数iの機械式リレーへの出力データつまり62の機械式リレーへの出力データの第一の電圧パラメータである期待判定電圧が11.7で、変数max_dが変数iの機械式リレーへの出力データの第一の電圧パラメータである期待判定電圧より小さくないので、工程３６９、工程３７０を飛ばし、工程３７１に進む。変数targetと変数max_dは更新されない。工程３７１では、変数iから1が減算され61となる。次に工程３６５に進む。その後、変数iが0以上かどうか判定する工程３６５により変数iは61なので、工程３６６に進む。
【０２８０】
このように、工程３６５〜３７１を、判定結果がLになる、変数iが51になるまで繰り返し、工程３０６に進む。変数iが59で、変数targetは59に、変数max_dは13.1に更新される。変数iが55で、変数targetは55に、変数max_dは13.6に更新される。
【０２８１】
その後、工程３６６により、変数iは51なので、５１を出力する。出力５１は、各スイッチの向けの出力でいうと、SW1=ON、SW2=ON、SW3=OFF、SW4=OFF、SW5=ON、SW6=ONである。この結果に基づき、図９における機械式リレー２１１がオンし、機械式リレー２１２がオンし、機械式リレー２１３がオフし、機械式リレー２１４がオフし、機械式リレー２１５がオンし、機械式リレー２１６がオンする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡し、ノード５１１とノード５１２が短絡する。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光し、赤色発光ダイオード２２６は発光する。その後数秒待つ。
【０２８２】
その結果、評価対象の装置または回路は、図２１に示した通り、第一の評価対象の装置または回路からの判定結果Lを返す。その結果、機械式リレー２５１はオフする。その結果、マイクロプロセッサ２９１は信号Lを受け取る。また、緑色発光ダイオード２６１は発光しない。
【０２８３】
工程３６７では評価対象の装置または回路からの判定結果はLなので、工程３６８、工程３６９、工程３７０を飛ばし、工程３７１に進む。変数targetと変数max_dは更新されない。工程３７１では、変数iから1が減算され50となる。次に工程３６５に進む。その後、変数iが0以上かどうか判定する工程３６５により変数iは50なので、工程３６６に進む。
【０２８４】
その後、工程３６６により、変数iは50なので、５０を出力する。出力５０は、各スイッチの向けの出力でいうと、SW1=ON、SW2=ON、SW3=OFF、SW4=OFF、SW5=ON、SW6=OFFである。この結果に基づき、図９における機械式リレー２１１がオンし、機械式リレー２１２がオンし、機械式リレー２１３がオフし、機械式リレー２１４がオフし、機械式リレー２１５がオンし、機械式リレー２１６がオフする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡し、ノード５１１とノード５１２が短絡しない。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光し、赤色発光ダイオード２２６は発光しない。その後数秒待つ。
【０２８５】
その結果、評価対象の装置または回路は、図２１に示した通り、第一の評価対象の装置または回路からの判定結果Lを返す。その結果、機械式リレー２５１はオフする。その結果、マイクロプロセッサ２９１は信号Lを受け取る。また、緑色発光ダイオード２６１は発光しない。
【０２８６】
工程３６７では評価対象の装置または回路からの判定結果はLなので、工程３６８、工程３６９、工程３７０を飛ばし、工程３７１に進む。変数targetと変数max_dは更新されない。工程３７１では、変数iから1が減算され49となる。次に工程３６５に進む。その後、変数iが0以上かどうか判定する工程３６５により変数iは49なので、工程３６６に進む。
【０２８７】
その後、工程３６６により、変数iは49なので、４９を出力する。出力４９は、各スイッチの向けの出力でいうと、SW1=ON、SW2=ON、SW3=OFF、SW4=OFF、SW5=OFF、SW6=ONである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオンする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡する。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２１は発光する。その後数秒待つ。
【０２８８】
その結果、評価対象の装置または回路は、図２１に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０２８９】
工程３６７では評価対象の装置または回路からの判定結果はHなので、工程３６８に進む。工程３６８では、変数max_dが13.6、変数iの機械式リレーへの出力データつまり49の機械式リレーへの出力データの第一の電圧パラメータである期待判定電圧が14.2で、変数max_dが変数iの機械式リレーへの出力データの第一の電圧パラメータである期待判定電圧より小さいので、工程３６９に進む。工程３６９では、変数targetに数iである49が代入される。工程３７０では、変数max_dに、変数iの機械式リレーへの出力データの期待判定電圧である14.2を代入する。工程３７１では、変数iから1が減算され48となる。次に工程３６５に進む。その後、変数iが0以上かどうか判定する工程３６５により変数iは48なので、工程３６６に進む。
【０２９０】
その後、工程３６６により、変数iは48なので、４８を出力する。出力４８は、各スイッチの向けの出力でいうと、SW1=ON、SW2=ON、SW3=OFF、SW4=OFF、SW5=OFF、SW6=OFFである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオフする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡しない。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２１は発光しない。その後数秒待つ。
【０２９１】
その結果、評価対象の装置または回路は、図２１に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０２９２】
工程３６７では評価対象の装置または回路からの判定結果はHなので、工程３６８に進む。工程３６８では、変数max_dが14.2、変数iの機械式リレーへの出力データつまり48の機械式リレーへの出力データの第一の電圧パラメータである期待判定電圧が13.9で、変数max_dが変数iの機械式リレーへの出力データの第一の電圧パラメータである期待判定電圧より小さくないので、工程３６９、工程３７０を飛ばし、工程３７１に進む。変数targetと変数max_dは更新されない。工程３７１では、変数iから1が減算され47となる。次に工程３６５に進む。その後、変数iが0以上かどうか判定する工程３６５により変数iは47なので、工程３６６に進む。
【０２９３】
その後、工程３６６により、変数iは47なので、４７を出力する。出力４７は、各スイッチの向けの出力でいうと、SW1=ON、SW2=OFF、SW3=ON、SW4=ON、SW5=ON、SW6=ONである。この結果に基づき、図９における機械式リレー２１１がオンし、機械式リレー２１２がオフし、機械式リレー２１３がオンし、機械式リレー２１４がオンし、機械式リレー２１５がオンし、機械式リレー２１６がオンする。その結果、ノード５０１とノード５０２が短絡し、ノード５０３とノード５０４が短絡せず、ノード５０５とノード５０６が短絡し、ノード５０７とノード５０８が短絡し、ノード５０９とノード５１０が短絡し、ノード５１１とノード５１２が短絡する。赤色発光ダイオード２２１は発光し、赤色発光ダイオード２２２は発光せず、赤色発光ダイオード２２３は発光し、赤色発光ダイオード２２４は発光し、赤色発光ダイオード２２５は発光し、赤色発光ダイオード２２６は発光する。その後数秒待つ。
【０２９４】
その結果、評価対象の装置または回路は、図２１に示した通り、第一の評価対象の装置または回路からの判定結果Lを返す。その結果、機械式リレー２５１はオフする。その結果、マイクロプロセッサ２９１は信号Lを受け取る。また、緑色発光ダイオード２６１は発光しない。
【０２９５】
工程３６７では評価対象の装置または回路からの判定結果はLなので、工程３６８、工程３６９、工程３７０を飛ばし、工程３７１に進む。変数targetと変数max_dは更新されない。工程３７１では、変数iから1が減算され46となる。次に工程３６５に進む。その後、変数iが0以上かどうか判定する工程３６５により変数iは46なので、工程３６６に進む。
【０２９６】
このように、工程３６５〜３７１を、変数iが-1になるまで繰り返し、工程３０６に進む。変数targetは49、変数max_dは14.2の状態で、その間更新されない。その後、変数iが0以上かどうか判定する工程３６５により変数iは-1なので、工程３７２に進む。
【０２９７】
工程３７２では、変数targetの機械式リレーへの出力データつまり４９を出力する。出力４９は、各スイッチの向けの出力でいうと、SW1=ON、SW2=ON、SW3=OFF、SW4=OFF、SW5=OFF、SW6=ONである。この結果に基づき、図９における機械式リレー２１１がオンし、機械式リレー２１２がオンし、機械式リレー２１３がオフし、機械式リレー２１４がオフし、機械式リレー２１５がオフし、機械式リレー２１６がオンする。その結果、ノード５０１とノード５０２が短絡し、ノード５０３とノード５０４が短絡し、ノード５０５とノード５０６が短絡せず、ノード５０７とノード５０８が短絡せず、ノード５０９とノード５１０が短絡せず、ノード５１１とノード５１２が短絡する。赤色発光ダイオード２２１は発光し、赤色発光ダイオード２２２は発光し、赤色発光ダイオード２２３は発光せず、赤色発光ダイオード２２４は発光せず、赤色発光ダイオード２２５は発光せず、赤色発光ダイオード２２６は発光する。その後数秒待つ。
【０２９８】
その結果、評価対象の装置または回路は、図２１に示した通り、第一の評価対象の装置または回路からの判定結果Hを返す。その結果、機械式リレー２５１はオンする。その結果、マイクロプロセッサ２９１は信号Hを受け取る。また、緑色発光ダイオード２６１は発光する。
【０２９９】
工程３７３で事後処理を行い、終了する。
【０３００】
最終状態で、色発光ダイオード２２１は発光し、赤色発光ダイオード２２２は発光し、赤色発光ダイオード２２３は発光せず、赤色発光ダイオード２２４は発光せず、赤色発光ダイオード２２１は発光せず、赤色発光ダイオード２２１は発光するのを見て、SW1=ON、SW2=ON、SW3=OFF、SW4=OFF、SW5=OFF、SW6=ONが得られた結果であること結論付けられる。また、この結果を、工程３７３の事後処理で、不揮発性メモリに記録することもできる。
【０３０１】
途中の状態では、赤色発光ダイオード２２１〜２２６の発光状態で、現在どのような状態を評価しているか視認できる。また、緑色発光ダイオード２６１で、評価対象の装置または回路からの第一の評価対象の装置または回路からの判定結果を視認できる。
【０３０２】
２１１、２１２、２１３、２１４、２１５、２１６に機械式リレーを用いること、判定結果がHとなるうちでが最も第一の電圧パラメータである期待判定電圧が大きい出力を選ぶことは、第５の実施の形態における非常に重要な特徴である。第５の実施の形態では、判定結果がHとなるうちで最も第一の電圧パラメータである期待判定電圧が大きい出力を選ぶので、期待判定値順に並べた場合にひとつ先の出力の判定結果はLとなる。第１の実施の形態から第５の実施の形態までの実施の形態には、期待判定値順に並べた場合に、評価対象の装置または回路からの判定結果が切り替わる出力を得るという共通概念がある。第５の実施の形態は、６つのスイッチの設定を検出する例を開示したが、６つである必要はなく、検出するスイッチの設定の数は、請求項に記述する範囲が権利の対象となると解釈すべきである。
【０３０３】
第５の実施の形態により、測定評価に人間が要する時間を減らし、コストを削減することができる条件検出装置を提供する。
【０３０４】
［第６の実施の形態］
第６の実施の形態は、適切な過電圧判定電圧にするためのスイッチの設定を検出するための条件検出装置を用いる過充電保護装置の評価方法および、その評価方法によりスイッチの条件を決定した制御装置に関する。過充電保護装置の実施の形態で説明した過充電保護装置などのスイッチの条件検出を目的とする。
【０３０５】
過充電保護装置の回路に関しては、過充電保護装置の実施の形態と同様である。過充電保護装置の全体回路図は、図１に示した通りであり、その中の過充電基本判定回路２１の中身は、図２に示した通りである。また、条件検出装置に関しては、第２の実施の形態と同様である。条件検出装置の回路図は、図１４に示した通りである。第６の実施の形態の評価方法に関し、条件検出実行中、つまり第６の実施の形態の評価方法を用いるときの、過電圧保護装置と条件検出回路の接続図を図２２、図２３に示す。条件検出実行中、つまり第６の実施の形態の評価方法を用いるときは、スイッチ１２４−１〜６は、すべてオフ、つまり開放しておく。そして、ノード３０１−１、３０３−１間に、過充電判定電圧の理想値の電圧をかけておく。過充電判定電圧の理想値の電圧は、例えば１４．０Ｖである。
【０３０６】
ノード５０２とノード５０３は、短絡されており、ノード５０４とノード５０５は、短絡されており、ノード５０６とノード５０７は、短絡されており、ノード５１０とノード５１１は、短絡されている。第６の実施の形態の評価方法を用いるとき、ノード５１３とノード５０１を接続し、ノード５１４とノード５０２を接続し、ノード５１５とノード５０４を接続し、ノード５１６とノード５０６を接続し、ノード５１７とノード５０８を接続し、ノード５１８とノード５０９を接続し、ノード５１９とノード５１０を接続し、ノード５２０とノード５１２を接続する。尚、図示していないが、ＶＳＳ同士であるノード−１とノード２９２（図１４）も接続する。
【０３０７】
その結果、以下のようになる。機械式リレー２１１がオンのときは、ノード５０１とノード５０２が短絡されるので、ノード５１３とノード５１４が短絡される。機械式リレー２１２がオンのときは、ノード５０３とノード５０４が短絡されるので、ノード５１４とノード５１５が短絡される。機械式リレー２１３がオンのときは、ノード５０５とノード５０６が短絡されるので、ノード５１５とノード５１６が短絡される。機械式リレー２１４がオンのときは、ノード５０７とノード５０８が短絡されるので、ノード５１６とノード５１７が短絡される。機械式リレー２１５がオンのときは、ノード５０９とノード５１０が短絡されるので、ノード５１８とノード５１９が短絡される。機械式リレー２１６がオンのときは、ノード５１１とノード５１２が短絡されるので、ノード５１９とノード５２０が短絡される。
【０３０８】
ノード５１３とノード５１４が短絡されると、過充電基本判定回路２１の発光ダイオード側を流れる電流は、機械式リレー２１１を流れ、ノード５１３とノード５１４が短絡されないと、過充電基本判定回路２１の発光ダイオード側を流れる電流は、発光ダイオード１１１−１〜４を流れる。ノード５１４とノード５１５が短絡されると、過充電基本判定回路２１の発光ダイオード側を流れる電流は、機械式リレー２１２を流れ、ノード５１４とノード５１５が短絡されないと、過充電基本判定回路２１の発光ダイオード側を流れる電流は、発光ダイオード１１１−５〜６を流れる。ノード５１５とノード５１６が短絡されると、過充電基本判定回路２１の発光ダイオード側を流れる電流は、機械式リレー２１３を流れ、ノード５１５とノード５１６が短絡されないと、過充電基本判定回路２１の発光ダイオード側を流れる電流は、発光ダイオード１１１−７を流れる。ノード５１６とノード５１７が短絡されると、過充電基本判定回路２１の発光ダイオード側を流れる電流は、機械式リレー２１４を流れ、ノード５１６とノード５１７が短絡されないと、過充電基本判定回路２１の発光ダイオード側を流れる電流は、発光ダイオード１１１−８を流れる。
【０３０９】
ノード５１８とノード５１９が短絡されると、過充電基本判定回路２１の抵抗器側を流れる電流は、機械式リレー２１５を流れ、ノード５１８とノード５１９が短絡されないと、過充電基本判定回路２１の抵抗器側を流れる電流は、抵抗器１１３−１を流れる。ノード５１９とノード５２０が短絡されると、過充電基本判定回路２１の抵抗器側を流れる電流は、機械式リレー２１６を流れ、ノード５１９とノード５２０が短絡されないと、過充電基本判定回路２１の抵抗器側を流れる電流は、抵抗器１１３−２を流れる。
【０３１０】
そのため、スイッチ１２４−１がオフで、機械式リレー２１１がオンのときは、過充電保護装置の単体動作におけるスイッチ１２４−１がオンになるのと同じ効果がある。スイッチ１２４−１がオフで、機械式リレー２１１がオフのときは、過充電保護装置の単体動作におけるスイッチ１２４−１がオフになるのと同じ効果がある。
【０３１１】
同様に、スイッチ１２４−２がオフで、機械式リレー２１２がオンのときは、過充電保護装置の単体動作におけるスイッチ１２４−２がオンになるのと同じ効果がある。スイッチ１２４−２がオフで、機械式リレー２１２がオフのときは、過充電保護装置の単体動作におけるスイッチ１２４−２がオフになるのと同じ効果がある。
【０３１２】
同様に、スイッチ１２４−３がオフで、機械式リレー２１３がオンのときは、過充電保護装置の単体動作におけるスイッチ１２４−３がオンになるのと同じ効果がある。スイッチ１２４−３がオフで、機械式リレー２１３がオフのときは、過充電保護装置の単体動作におけるスイッチ１２４−３がオフになるのと同じ効果がある。
【０３１３】
同様に、スイッチ１２４−４がオフで、機械式リレー２１４がオンのときは、過充電保護装置の単体動作におけるスイッチ１２４−４がオンになるのと同じ効果がある。スイッチ１２４−４がオフで、機械式リレー２１４がオフのときは、過充電保護装置の単体動作におけるスイッチ１２４−４がオフになるのと同じ効果がある。
【０３１４】
同様に、スイッチ１２４−５がオフで、機械式リレー２１５がオンのときは、過充電保護装置の単体動作におけるスイッチ１２４−５がオンになるのと同じ効果がある。スイッチ１２４−５がオフで、機械式リレー２１５がオフのときは、過充電保護装置の単体動作におけるスイッチ１２４−５がオフになるのと同じ効果がある。
【０３１５】
同様に、スイッチ１２４−６がオフで、機械式リレー２１６がオンのときは、過充電保護装置の単体動作におけるスイッチ１２４−６がオンになるのと同じ効果がある。スイッチ１２４−６がオフで、機械式リレー２１６がオフのときは、過充電保護装置の単体動作におけるスイッチ１２４−６がオフになるのと同じ効果がある。
【０３１６】
そのため、マイクロプロセッサ２９１で２の６乗つまり６４通りの出力をすることは、６つの機械式リレーのすべてのオン・オフの組み合わせを出力し、スイッチ１２４−１〜６のオン・オフの組み合わせをすべて評価するのと同じことになる。
【０３１７】
図２３の通り、出力側も接続する。ノード１２０をノード２４２と接続し、ノード１２１をノード２４３と接続する。その結果、ノード１２０、ノード１２１間がH、すなわち十分大きい電圧ならノード２４２、ノード２４３間がH、すなわち十分大きい電圧となり、機械式リレー２５１がオンする。その結果、マイクロプロセッサ２９１はHを受け取る。一方、ノード１２０、ノード１２１がL、つまり十分小さい電圧ならノード２４２、ノード２４３がL、つまり十分小さい電圧となり、機械式リレー２５１がオフする。その結果、マイクロプロセッサ２９１はLを受け取る。
【０３１８】
過電圧保護装置の回路構成によっては、機械式リレー２５１は必ずしも必須ではなく、マイクロプロセッサ２９１が信号を直接受け取ってもよい場合もある。
【０３１９】
上記の接続において、第１の実施の形態の方法、第２の実施の形態の方法（図１０）により、変数target番目の機械式リレーへの出力データを出力することによって得られる変数target番目の出力を最終結果として得る方法が、第６の実施の形態の過充電保護装置の評価方法である。第６の実施の形態では、図１０の第１の実施の形態の方法、第２の実施の形態の方法を採用するが、第３〜第５の実施の形態を採用してもよい。
【０３２０】
この方法は、それぞれの条件で、ばらつきを持つ個々の過電圧保護  装置の過電圧判定電圧を求めることによる方法に比べ、低コストで実現できる。それぞれの条件で、ばらつきを持つ個々の過電圧保護装置の過電圧判定電圧を求めることによる方法では、プログラミング可能な直流電源が必要で、また、各条件でノード３０１−１、３０３−１間にかける電圧をスイープする必要があるため、評価に必要な時間も長い。第６の実施の形態の過充電保護装置の評価方法では、２万円程度で手に入るプログラミングできない単純な直流電源があればよく、評価に必要な時間も短い。
【０３２１】
最後に、この評価方法を用い、過充電保護装置を製造・評価・出荷する方法の例を図２４に示す。
【０３２２】
まず、工程４１１にて、基板加工機等で、実装部品未装着のプリント配線板を作成する。この工程は、複数のプリント配線板を一気に作る場合も多い。また、この工程は外部組織に委託することもある。工程４１２にて、プリント配線板に部品を実装してプリント基板にする。この工程は手作業のこともあり、機械で行うこともある。また、この工程は外部組織に委託することもある。ここで、作成するプリント基板（部品を実装したプリント配線板）は、例えば図１、図２のような構成にする。
【０３２３】
工程４１３では、スイッチ１２４−１をオン、スイッチ１２４−２をオン、スイッチ１２４−３をオン、スイッチ１２４−４をオン、スイッチ１２４−５をオフ、スイッチ１２４−６をオフに設定する。すなわち、過電圧判定電圧を最小に設定する。そして、電源間すなわち、ノード３０３−１、ノード３０１−１間に、小さい電圧、例えば５Ｖを印加し、冷却ファン１２２は回転せず、電源間すなわち、ノード３０３−１、ノード３０１−１間に、大きい電圧、例えば２０Ｖを印加し、冷却ファン１２２は回転することを確認する。この工程は確認であり、そのようにならない場合、接触不良や意図しない短絡があると考えられる。この工程は必ずしも必要ではない。
【０３２４】
工程４１４では、スイッチ１２４−１をオフ、スイッチ１２４−２をオフ、スイッチ１２４−３をオフ、スイッチ１２４−４をオフ、スイッチ１２４−５をオフ、スイッチ１２４−６をオフに設定する。すなわち、スイッチ１２４をすべてオフにする。そして、図２２、図２３のように対象制御回路と評価用回路を接続する。そうすることによりマイクロプロセッサ２９１と機械式リレー２１１〜２１６でスイッチ１２４−１〜６を設定するのと等価的な作用を与えられるようにする。そしてノード３０１−１、３０３−１間に、過充電判定電圧の理想値の電圧をかける。過充電判定電圧の理想値の電圧とは、例えば１４．０Ｖである。こうすることにより、過充電判定電圧が１４．０Ｖより小さい場合マイクロプロセッサ２９１はHを受け取り、過充電判定電圧が１４．０Ｖより大きい場合マイクロプロセッサ２９１はＬを受け取る。
【０３２５】
工程４１５では、評価用回路でスキャンし、スイッチ群の設定を判定・取得する。詳細は、第１〜第２の実施の形態で説明したとおりである。第３〜第５の実施の形態を採用してもよい。工程４１６では、工程４１５で得た結果に基づき、スイッチ群１２４を設定する。そして、工程４１７では、対象制御回路と評価用回路の接続を解除する。
【０３２６】
工程４１８では、プリント基板（実装したプリント配線板）を筐体に入れる。工程４１９ではプリント基板の入った筐体を梱包する。工程４２０で出荷する。過電圧保護装置を製造・評価・出荷する方法の例は、以上である。
【０３２７】
第６の実施の形態により、測定評価に人間が要する時間を減らし、コストを削減することができる条件検出方法を提供する。また、第６の実施の形態により、コスト削減により、過充電保護装置の実施の形態で説明した過電圧保護装置の製造・評価・出荷が現実的になり、消費電流の小さい過充電保護装置が低コストで実現できる。
【産業上の利用可能性】
【０３２８】
風力発電装置、鉛蓄電池、過電圧保護装置を用いて、住宅地に設置する一般家庭用の風力発電システムや僻地における風力発電システムの条件検出装置に用いることができる。
【符号の説明】
【０３２９】
１１ 過電圧保護装置 
２１ 過電圧基本判定回路 
２２ 第二の増幅回路 
２３ 冷却用ファン制御回路 
２４ 第一の保護回路 
２５ 第二の保護回路 
１２２ 冷却用ファン 
１２３ 第一の電圧入力型スイッチング素子
１１５ ｐ型電界効果トランジスタ、 
１１６、１２５ 抵抗器 
１１８ ｎ型電界効果トランジスタ、 
１１９ 定電圧素子 
１１１−１〜７、１１１−９〜１４ 青色発光ダイオード 
１１１−８ 赤色発光ダイオード 
１２４ スイッチ（６Ｐスイッチ） 
１２４−１〜６ スイッチ 
１１３−１〜３  抵抗器
１１４、１２６、１２０、１２１ ノード 
５１３、５１４、５１５、５１６、５１７、５１８、５１９、５２０  ノード
１３１−１〜５ 青色発光ダイオード 
１３２ ｎｐｎ型バイポーラトランジスタ 
１４１ 演算増幅器 
１４２ ｎｐｎ型バイポーラトランジスタ 
１４３、１４４、１４５ 抵抗器 
１４６ ツェナーダイオード 
３０１−１   電源のプラス側のノード、発電装置のプラス側のノード 
３０３−１   電源のプラス側のノード 、蓄電装置のマイナス側のノード
２０１、２０２、２０３、２０４、２０５、２０６  端子台
２０７、２０８  端子台
２１１、２１２、２１３，２１４、２１５、２１６  機械式リレー
２２１、２２２、２２３、２２４、２２５、２２６  赤色発光ダイオード
２３１、２３２、２３３、２３４、２３５、２３６  抵抗器
５０１、５０２、５０３、５０４、５０５、５０６、５０７、５０８、５０９、５１０、５１１、５１２  ノード
２４１  端子台
２５１  機械式リレー
２６１  緑色発光ダイオード
２７１、２８１  抵抗器
２４２、２４３  ノード
２９２  ＶＳＳ（ノード）
２９３  ＶＤＤ（ノード）
２９１  マイクロプロセッサ
３０１、３０２、３０３、３０４、３０５、３０６、３０７、３０８、３０９、３１０、３１１  マイクロプロセッサの工程
３２１、３２２、３２３、３２４、３２５、３２６、３２７、３２８、３２９、３３０、３３１、３３２、３３３、３３４、３３５  マイクロプロセッサの工程
３４１、３４２、３４３、３４４、３４５、３５１、３５２、３５３、３５４、３５５、３５６、３５７  マイクロプロセッサの工程
３６１、３６２、３６３、３６４、３６５、３６６、３６７、３６８、３６９、３７０、３７１、３７２、３７３  マイクロプロセッサの工程
４１１、４１２、４１３、４１４、４１５、４１６、４１７、４１８、４１９、４２０  過電圧保護装置を製造・評価・出荷する方法の工程
【図１】
2018137891.tif 000003
【図２】
2018137891.tif 000004
【図３】
2018137891.tif 000005
【図４】
2018137891.tif 000006
【図５】
2018137891.tif 000007
【図６】
2018137891.tif 000008
【図７】
2018137891.tif 000009
【図８】
2018137891.tif 000010
【図９】
2018137891.tif 000011
【図１０】
2018137891.tif 000012
【図１１】
2018137891.tif 000013
【図１２】
2018137891.tif 000014
【図１３】
2018137891.tif 000015
【図１４】
2018137891.tif 000016
【図１５】
2018137891.tif 000017
【図１６】
2018137891.tif 000018
【図１７】
2018137891.tif 000019
【図１８】
2018137891.tif 000020
【図１９】
2018137891.tif 000021
【図２０】
2018137891.tif 000022
【図２１】
2018137891.tif 000023
【図２２】
2018137891.tif 000024
【図２３】
2018137891.tif 000025
【図２４】
2018137891.tif 000026